(57)【特許請求の範囲】
【請求項１】
表示装置と、前記表示装置と通信可能な情報端末と、を含む表示システムであって、
前記情報端末は、
当該情報端末内のコンテンツファイルを特定する特定情報を生成する生成部と、
前記特定情報を前記表示装置に送信し、前記表示装置から前記特定情報に対応する前記コンテンツファイルを記憶していない旨の応答を受信した場合、前記特定情報と共に前記コンテンツファイルを前記表示装置に送信する送信部と、
前記表示装置から、前記コンテンツファイルを削除するか否か判断する判断部と、を有し、
前記表示装置は、
前記コンテンツファイルと前記特定情報とを対応付けて記憶する記憶部と、
前記特定情報と対応付けられた前記コンテンツファイルが正常に記憶されているか否かを前記情報端末に通知する通知部と、を有し、
前記判断部は、前記表示装置から前記コンテンツファイルが正常に記憶されていない旨の通知を受けた場合、該コンテンツファイルを削除すると判断する表示システム。
【請求項２】
前記判断部は、前記コンテンツファイルが、前記表示装置において正常に記憶されていない場合、前記コンテンツファイルを前記表示装置から削除すると判断し、
前記送信部は、前記コンテンツファイルの削除の指示を、前記表示装置に送信し、
前記表示装置は、前記コンテンツファイルの削除の指示を受けた場合、前記コンテンツファイルを削除する請求項１に記載の表示システム。
【請求項３】
前記コンテンツファイルの削除の指示は、前記特定情報を含む請求項２に記載の表示システム。
【請求項４】
前記判断部は、前記表示装置に記憶された第１のコンテンツファイル及び、前記第１のコンテンツファイルに対応する前記情報端末における第２のコンテンツファイルが、いずれも正常に記憶されていない場合、前記第１のコンテンツファイル及び前記第２のコンテンツファイルを削除すると判断する請求項１に記載の表示システム。
【請求項５】
前記情報端末は、
前記コンテンツファイルに、該コンテンツファイルが送信された前記情報端末からのみ該コンテンツファイルの削除の指示を受け付ける排他制御の設定をする設定部、を有し、
前記送信部は、前記排他制御の設定がされた前記コンテンツファイルを前記表示装置に送信する請求項２又は３に記載の表示システム。
【請求項６】
前記表示装置は、
前記削除の指示を受信すると、前記コンテンツファイルに前記排他制御の設定がされているか確認し、
前記排他制御の設定がされている場合であって、前記コンテンツファイルが前記情報端末により送信されたことが確認された場合、該コンテンツファイルを削除する請求項５に記載の表示システム。
【請求項７】
前記特定情報は、前記記憶部に前記コンテンツファイルを格納する際の前記コンテンツファイルのファイル名であり、
前記表示装置は、前記記憶部における前記特定情報とファイル名が一致するコンテンツファイルが正常に記憶されているか否かを通知する請求項１乃至６のいずれか一項に記載の表示システム。
【請求項８】
前記特定情報は、前記記憶部における前記コンテンツファイルの格納場所を示す情報であり、
前記表示装置は、前記記憶部における前記コンテンツファイルの格納場所に格納されているコンテンツファイルが正常に記憶されているか否かを通知する請求項１乃至６のいずれか一項に記載の表示システム。
【請求項９】
前記特定情報は、前記記憶部に前記コンテンツファイルを格納する際の前記コンテンツファイルのファイル名と、前記記憶部における前記コンテンツファイルの格納場所を示す情報とを含み、
前記表示装置は、前記記憶部における前記特定情報とファイル名とが一致するコンテンツファイルが正常に記憶されているか否かを通知する請求項１乃至６のいずれか一項に記載の表示システム。
【請求項１０】
保持しているコンテンツファイルを特定する特定情報を生成する生成部と、
前記特定情報を表示装置に送信し、前記表示装置から前記特定情報に対応する前記コンテンツファイルを記憶していない旨の応答を受信した場合、前記特定情報と共に前記コンテンツファイルを前記表示装置に送信する送信部と、
前記表示装置から、前記コンテンツファイルを削除するか否か判断する判断部と、を有し、
前記判断部は、前記表示装置から前記コンテンツファイルが正常に記憶されていない旨の通知を受けた場合、前記表示装置の該コンテンツファイルを削除すると判断する情報端末。
【請求項１１】
コンテンツファイルと、該コンテンツファイルを特定する特定情報とを情報端末から受信する受信部と、
前記コンテンツファイルと前記特定情報とを対応付けて記憶する記憶部と、
前記特定情報と対応付けられた前記コンテンツファイルが正常に記憶されていない旨の通知を前記情報端末に送信する通知部と、を有し、
前記受信部は、前記通知を受信した前記情報端末から前記コンテンツファイルの削除の指示を受信した場合、前記コンテンツファイルを削除する表示装置。
【請求項１２】
情報端末が、前記情報端末と通信可能な表示装置との間で実行する制御方法であって、
当該情報端末内のコンテンツファイルを特定する特定情報を生成するステップと、
前前記特定情報を前記表示装置に送信し、前記表示装置から前記特定情報に対応する前記コンテンツファイルを記憶していない旨の応答を受信した場合、前記特定情報と共に前記コンテンツファイルを前記表示装置に送信するステップと、
前記表示装置から、前記特定情報と対応付けられた前記コンテンツファイルが正常に記憶されているか否かの通知を受信するステップと、を有し、
前記情報端末は、前記表示装置から前記コンテンツファイルが正常に記憶されていない旨の通知を受けた場合、前記表示装置の該コンテンツファイルを削除すると判断する制御方法。
【請求項１３】
表示装置が、前記表示装置と通信可能な情報端末との間で実行する制御方法であって、
コンテンツファイルを特定する特定情報を前記情報端末から受信するステップと、
前記特定情報に対応するコンテンツファイルを記憶していない旨の応答を送信するステップと、
前記特定情報と共に前記コンテンツファイルを前記情報端末から受信するステップと、
前記コンテンツファイルと前記特定情報とを対応付けて記憶するステップと、
前記コンテンツファイルが正常に記憶されてない場合、前記コンテンツファイルが正常に記憶されていない旨の通知を送信するステップと、
前記通知を受信した前記情報端末から前記コンテンツファイルの削除の指示を受信するステップと、を有する制御方法。
【請求項１４】
請求項１２に記載の制御方法を情報端末に実行させるプログラム。
【請求項１５】
請求項１３に記載の制御方法を表示装置に実行させるプログラム。
【発明の詳細な説明】
【技術分野】
【０００１】
本発明は、表示システム、情報端末、表示装置、制御方法、及びプログラムに関する。
【背景技術】
【０００２】
従来から、コンテンツファイルを情報端末から送信先の装置へ送信するシステムが知られている。このシステムでは、情報端末は、コンテンツファイルを特定する特定情報を用いて、送信先の装置にコンテンツファイルが既に送信されているか否かを判断し、未送信のコンテンツファイルのみを送信する。これにより、不必要なコンテンツファイルが送信先の装置に送信されるのを回避している。
【０００３】
具体的には、情報端末から特定情報に対応するコンテンツファイルを記憶しているか問い合わせを受けた際に、送信先の装置は、特定情報に対応するコンテンツファイルを記憶している場合、特定情報に対応するコンテンツファイルを有している旨の応答をする。コンテンツファイルを有している旨の応答を受信すると、情報端末は、コンテンツファイルの送信を行わない。
【発明の概要】
【発明が解決しようとする課題】
【０００４】
上述した従来のシステムによれば、コンテンツファイルが送信先の装置に送信されている場合、情報端末は再度コンテンツファイルを送信しない。このため、同じコンテンツファイルを重複して送信することは避けられる。しかし、送信先の装置に送信されているコンテンツファイルを再度送信しないため、送信時のエラー等によりコンテンツファイルが正常に記憶されていない場合に、正常なコンテンツファイルに変更することができなかった。
【０００５】
本発明は、上記事情を鑑みてこれを解決すべくなされたものであり、コンテンツファイルが送信先の装置に、正常に記憶されていない場合、正常なコンテンツファイルに変更することを可能とする表示システム、情報端末、表示装置、制御方法、及びプログラムを提供することを目的としている。
【課題を解決するための手段】
【０００６】
本実施形態に係る表示システムは、表示装置と、前記表示装置と通信可能な情報端末と、を含む表示システムであって、前記情報端末は、当該情報端末内のコンテンツファイルを特定する特定情報を生成する生成部と、前記特定情報を前記表示装置に送信し、前記表示装置から前記特定情報に対応する前記コンテンツファイルを記憶していない旨の応答を受信した場合、前記特定情報と共に前記コンテンツファイルを前記表示装置に送信する送信部と、前記情報端末、及び前記表示装置から、前記コンテンツファイルを削除するか否か判断する判断部と、を有し、前記表示装置は、前記コンテンツファイルと前記特定情報とを対応付けて記憶する記憶部と、前記特定情報と対応付けられた前記コンテンツファイルが正常に記憶されているか否かを前記情報端末に通知する通知部と、を有し、前記判断部は、前記表示装置から前記コンテンツファイルが正常に記憶されていない旨の通知を受けた場合、該コンテンツファイルを削除すると判断する。
【発明の効果】
【０００７】
本実施形態によれば、コンテンツデータが正常に記憶されていない場合、正常なコンテンツファイルに変更することを可能とする表示システム、情報端末、表示装置、制御方法、及びプログラムを提供することができる。
【図面の簡単な説明】
【０００８】
【図１】第一の実施形態の表示システムのシステム構成の一例を示す図である。
【図２】第一の実施形態の表示システムの利用シーンの一例を説明する図である。
【図３】第一の実施形態の表示システムが有する各装置のハードウェア構成の一例を示す図である。
【図４】第一の実施形態の表示システムが有する各装置の機能構成の一例を示す図である。
【図５】第一の実施形態の表示システムの動作の概要を説明するシーケンス図である。
【図６】第一の実施形態におけるコンテンツファイルの送信の判断を説明するフローチャートである。
【図７】第一の実施形態の特定情報を説明する第一の図である。
【図８】第一の実施形態の端末特定情報の例を示す第一の図である。
【図９】第一の実施形態の端末特定情報の例を示す第二の図である。
【図１０】第一の実施形態のファイル特定情報の例を示す第一の図である。
【図１１】第一の実施形態のファイル特定情報の例を示す第二の図である。
【図１２】第一の実施形態のファイル特定情報の例を示す第三の図である。
【図１３】第二の実施形態の特定情報を説明する図である。
【図１４】第二の実施形態におけるコンテンツファイルの送信の判断を説明する第一のフローチャートである。
【図１５】第二の実施形態におけるコンテンツファイルの送信の判断を説明する第二のフローチャートである。
【図１６】第二の実施形態におけるコンテンツファイルの送信の判断を説明する第三のフローチャートである。
【図１７】アップロード設定画面の一例を示す図である。
【図１８】第二の実施形態におけるコンテンツファイルの送信の判断を説明する第四のフローチャートである。
【図１９】第二の実施形態におけるコンテンツファイルの送信の判断を説明する第五のフローチャートである。
【図２０】第二の実施形態におけるコンテンツファイルの送信の判断を説明する第六のフローチャートである。
【図２１】第三の実施形態の特定情報を説明する図である。
【図２２】第三の実施形態におけるコンテンツファイルの送信の判断を説明するフローチャートである。
【図２３】第四の実施形態の表示システムが有する各装置の機能構成の一例を示す図である。
【図２４】第四の実施形態の表示システムの動作の概要を説明するシーケンス図である。
【図２５】第四の実施形態の特定情報を説明する図である。
【図２６】第四の実施形態の効果を説明する図である。
【図２７】第五の実施形態の表示システムが有する各装置の機能構成の一例を示す図である。
【図２８】第五の実施形態におけるコンテンツファイルの送信を説明する図である。
【図２９】第五の実施形態の特定情報の一例を示す第一の図である。
【図３０】第五の実施形態の特定情報の一例を示す第二の図である。
【図３１】第五の実施形態の特定情報の一例を示す第三の図である。
【図３２】第五の実施形態の特定情報の一例を示す第四の図である。
【図３３】圧縮品質テーブルの一例を示す図である。
【図３４】第五の実施形態の特定情報の一例を示す第五の図である。
【図３５】第五の実施形態の特定情報の一例を示す第六の図である。
【図３６】第六の実施形態の表示システムが有する各装置の機能構成の一例を示す図である。
【図３７】第六の実施形態における動作の一例を示すフローチャートである。
【図３８】第六の実施形態における動作の一例を示すシーケンス図である。
【図３９】第六の実施形態における動作の一例を示すシーケンス図である。
【図４０】第六の実施形態における動作の一例を示すシーケンス図である。
【図４１】第六の実施形態における動作の一例を示すフローチャートである。
【図４２】第七の実施形態における制御の概要を示す図である。
【図４３】第七の実施形態の表示システムが有する各装置の機能構成の一例を示す図である。
【図４４】第七の実施形態における動作の一例を示すフローチャートである。
【図４５】第七の実施形態における動作の一例を示すシーケンス図である。
【図４６】第七の実施形態における動作の一例を示すシーケンス図である。
【発明を実施するための形態】
【０００９】
本発明は、情報端末において該情報端末内のコンテンツファイルを一意に特定する情報を含む特定情報を生成し、表示装置内に特定情報と対応するコンテンツファイルが存在しない場合に特定情報を付与したコンテンツファイルを表示装置へ送信する。
【００１０】
＜第一の実施形態＞
以下に図面を参照して本発明の第一の実施形態について説明する。図１は、第一の実施形態の表示システムのシステム構成の一例を示す図である。
【００１１】
本実施例の表示システム１００は、情報端末２００と表示装置３００とを有し、情報端末２００と表示装置３００とはネットワーク等のデータ伝送路Ｎを介して接続される。
【００１２】
本実施例の情報端末２００は、例えば３Ｇ（3rd Generation）,ＬＴＥ（Long Term Evolution），４Ｇ（4th Generation）の規格に準ずる通信方式による通信を行っても良い。また本実施形態の情報端末２００は、例えばＺｉｇＢｅｅやＢｌｕｅｔｏｏｔｈ（登録商標）等に準ずる通信方式よる通信を行っても良い。
【００１３】
本実施形態の情報端末２００は、例えばスマートフォンや携帯電話等の無線通信端末であっても良い。また本実施形態の情報端末２００は、例えばタブレットＰＣ（Personal Computer）やノート型ＰＣであっても良い。本実施形態の情報端末２００は、表示装置３００と通信を行えるものであれば良い。
【００１４】
本実施形態の情報端末２００は、送信制御プログラム２１０がインストールされている。本実施形態の情報端末２００は、送信制御プログラム２１０を実行して表示装置３００に表示させるコンテンツファイルの送信を行う。
【００１５】
本実施形態の表示装置３００は、保存制御プログラム３１０がインストールされている。本実施形態の表示装置３００は、保存制御プログラム３１０を実行することで、情報端末２００から送信されてきたコンテンツファイルを記憶装置に保存する。
【００１６】
本実施形態の表示装置３００は、情報端末２００から送信されたコンテンツファイルを表示させることが可能な表示機能を有していれば良い。具体的には本実施例の表示装置３００は、例えばプロジェクタやディスプレイ等である。
【００１７】
以下の本実施形態の説明では、表示装置３００がコンテンツファイルを表示させることを、コンテンツファイルを再生する、と表現する。
【００１８】
本実施形態のコンテンツファイルとは、例えば画像データや動画データ等のコンテンツデータ群であっても良いし、１つのコンテンツデータであっても良い。本実施形態のコンテンツデータは、表示装置３００に表示させることが可能なデータであれば良い。
【００１９】
以下に図２を参照して本実施形態の表示システム１００の利用シーンについて説明する。図２は、第一の実施形態の表示システムの利用シーンの一例を説明する図である。
【００２０】
図２の例では、情報端末２００をスマートフォン又はタブレットＰＣとし、表示装置３００をプロジェクタ３０１とスクリーン３０２を含む構成とし、表示システム１００を例えば電子看板（Digital Signage）に用いた場合を示している。
【００２１】
本実施形態の情報端末２００は、ユーザによりコンテンツファイルの再生の仕方が設定されると、この設定に基づきコンテンツファイルの再生制御情報を生成する。そして情報端末２００は、コンテンツファイルと再生制御情報とをプロジェクタ３０１へ送信する。プロジェクタ３０１は、受信したコンテンツファイルを記憶部に保存し、再生制御情報にしたがってコンテンツファイルを再生する。
【００２２】
本実施形態の表示システム１００では、ユーザは、１度コンテンツファイルと再生制御情報を表示装置３００に送信すれば、所望の設定通りにコンテンツファイルを継続して再生することができる。
【００２３】
すなわち本実施形態の表示システム１００を電子看板等に適用した場合、自動的にユーザが望むようにコンテンツファイルが再生されるため、ユーザはコンテンツファイルの表示順や表示の切り替え等をその都度設定する手間を省くことができる。
【００２４】
本実施形態の情報端末２００は、上記の表示システム１００において、表示装置３００へコンテンツファイルを送信する際に、情報端末２００内のコンテンツファイルを特定する特定情報を生成する。そしてこの特定情報と対応するコンテンツファイルが表示装置３００内に存在しない場合に、コンテンツファイルを表示装置３００へ送信する。
【００２５】
よって本実施形態では、例えば情報端末２００から表示装置３００へコンテンツファイルを送信する際に、表示装置３００に同じコンテンツファイルが重複して保存されることを防止できる。
【００２６】
また本実施形態では、表示装置３００は、特定情報に基づき受信したコンテンツファイルを保存するか否かを判断すれば良く、予め情報端末２００を認識しておく必要がない。したがって本実施形態では、表示装置３００に情報端末２００を認識させるための情報の登録等の手順が不要となり、簡便な操作で情報端末２００から表示装置３００へコンテンツファイルを送信することができる。
【００２７】
以下の本実施形態の説明では、表示装置３００に対する送信要求が行われたコンテンツファイルを再生コンテンツファイルと呼び、それ以外の例えば所定の記憶領域に格納されているコンテンツファイルを単にコンテンツファイルと呼ぶ。
【００２８】
次に図３を参照して本実施形態の表示システム１００の有する各装置のハードウェア構成を説明する。図３は、第一の実施形態の表示システムが有する各装置のハードウェア構成の一例を示す図である。
【００２９】
本実施形態の情報端末２００は、それぞれバスＢ１で相互に接続されているＣＰＵ（Central Processing Unit）２１、記憶部２２、入力部２３、外部インターフェイス部２４、ネットワーク制御部２５、出力部２６、ドライバ２７を有する。
【００３０】
ＣＰＵ２１は、情報端末２００の各種動作を制御する。記憶部２２は、情報端末２００の動作や演算に係る各種情報や、情報端末２００で実行される各種プログラム等が格納される。入力部２３は、各種信号や情報を入力するために用いられる。入力部２３は、例えばタッチパネル等の表示機能を有していても良い。また本実施形態の入力部２３は、例えばポインティングデバイスやキーボード等であっても良い。
【００３１】
本実施形態の外部インターフェイス部２４は、例えばＵＳＢ（Universal Serial Bus）メモリスロットやＮＦＣ（Near field communication）等である。ネットワーク制御部２５は、モデム，ＬＡＮカード等を含み、ネットワークに接続する為に用いられる。
出力部２６は、情報端末２００から各種情報報の出力するために用いられる。本実施形態の出力部２６は、例えばディスプレイ等であっても良いし、外部装置へ各種データを送信する送信部であっても良い。
【００３２】
本実施形態の送信制御プログラム２１０は、情報端末２００を制御する各種プログラムの少なくとも一部である。送信制御プログラム２１０は例えば記録媒体２８の配布やネットワークからのダウンロードなどによって提供される。送信制御プログラム２１０を記録した記録媒体２８は、ＣＤ−ＲＯＭ、フレキシブルディスク、光磁気ディスク等の様に情報を光学的，電気的或いは磁気的に記録する記録媒体、ＲＯＭ、フラッシュメモリ等の様に情報を電気的に記録する半導体メモリ等、様々なタイプの記録媒体を用いることができる。
【００３３】
また送信制御プログラム２１０を記録した記録媒体２８がドライバ２７にセットされると、送信制御プログラム２１０は記録媒体２８からドライバ２７を介して記憶部２２にインストールされる。ネットワークからダウンロードされた送信制御プログラム２１０は、ネットワーク制御部２５を介して記憶部２２にインストールされる。
【００３４】
記憶部２２は、インストールされた送信制御プログラム２１０を格納すると共に、必要なファイル，データ等を格納する。ＣＰＵ２１は記憶部２２に格納された送信制御プログラム２１０に従って、後述するような各種処理を実現している。
【００３５】
本実施形態の表示装置３００は、それぞれバスＢ２で相互に接続されているＣＰＵ３１、記憶部３２、入力部３３、外部インターフェイス部３４、ネットワーク制御部３５、表示部３６、ドライバ２７を有する。
【００３６】
ＣＰＵ３１は、表示装置３００の各種動作を制御する。記憶部３２は、表示装置３００の動作や演算に係る各種情報や、表示装置３００で実行される各種プログラム、表示装置３００で再生されるコンテンツデータ等が格納される。入力部３３は、各種信号や情報を入力するために用いられる。入力部３３は、例えば表示装置３００を操作する操作部材等である。
【００３７】
本実施形態の外部インターフェイス部３４は、例えばＵＳＢ（Universal Serial Bus）メモリスロットやＮＦＣ（Near field communication）等である。ネットワーク制御部３５は、表示装置３００のネットワークへの接続を制御する。表示部３６は、表示装置３００が表示指示を受けたコンテンツデータを表示させる。
【００３８】
本実施形態の保存制御プログラム３１０は、表示装置３００を制御する各種プログラムの少なくとも一部である。保存制御プログラム３１０は例えば記録媒体３８の配布やネットワークからのダウンロードなどによって提供される。また保存制御プログラム３１０を記録した記録媒体３８がドライバ３７にセットされると、保存制御プログラム３１０は記録媒体３８からドライバ３７を介して記憶部３３にインストールされる。ネットワークからダウンロードされた保存制御プログラム３１０は、ネットワーク制御部３５を介して記憶部３３にインストールされる。
【００３９】
記憶部３３は、インストールされた保存制御プログラム３１０を格納すると共に、必要なファイル，データ等を格納する。ＣＰＵ３１は記憶部３３に格納された保存制御プログラム３１０に従って、後述するような各種処理を実現している。
【００４０】
次に、図４を参照して本実施形態の表示システム１００が有する各装置の機能構成について説明する。図４は、第一の実施形態の表示システムが有する各装置の機能構成の一例を示す図である。
【００４１】
本実施形態の情報端末２００は、記憶部２２内に設けられた所定の記憶領域２２０を有する。記憶領域２２０には、例えばコンテンツデータ２２１と、コンテンツファイル２２２とが格納されている。コンテンツデータ２２１は、表示装置３００へ表示することが可能なデータであり、例えば画像データや動画データ等である。
【００４２】
コンテンツファイル２２２は、表示装置３００へ送信する送信対象のコンテンツデータ２２１として選択されたコンテンツデータ又はコンテンツデータ群である。
【００４３】
本実施形態では、例えば記憶領域２２０に複数のコンテンツファイル２２２が格納されていても良い。また以下の説明では、送信要求が行われたコンテンツファイル２２２を再生コンテンツファイル３３１と呼ぶ。
【００４４】
本実施形態の情報端末２００は、表示制御部２１１、入力受付部２１２、再生制御情報生成部２１３、特定情報生成部２１４、送信判断部２１５、コンテンツファイル生成部２１６、送信部２１７を有する。
【００４５】
本実施形態の表示制御部２１１は、情報端末２００の出力部２６であるディスプレイ等に、コンテンツデータ２２１の一覧画面や、後述する再生制御情報に含まれる項目の値を設定させる設定画面等を表示させる。
【００４６】
本実施形態の入力受付部２１２は、コンテンツデータ２２１の一覧を表示させた一覧画面において、コンテンツデータ２２１の選択を受け付ける。本実施形態では、情報端末２００の一覧画面において選択されたコンテンツデータ２２１が、コンテンツファイル２２２として記憶領域２２０に保持される。尚コンテンツファイル２２２は、例えば表示装置３００への送信が完了したら削除されても良いし、そのまま記憶領域２２０内に保持されても良い。また本実施形態の入力受付部２１２は、再生制御情報に含まれる各種の項目の値を設定させる設定画面において、項目の値の入力を受け付ける。
【００４７】
本実施形態の再生制御情報生成部２１３は、コンテンツファイル２２２に含まれる情報に基づき、再生制御情報３３２を生成する。再生制御情報３３２とは、例えばコンテンツファイル２２２に含まれるコンテンツデータ２２１の再生の順番や再生時間、表示の切り替え方等に関する情報が含まれる。
【００４８】
本実施形態では、再生制御情報３３２に含まれる所定の項目の値が設定画面においてユーザにより設定された値となる。所定の項目とは、例えばコンテンツデータ２２１の再生の順番や再生時間、表示の切り替え方であっても良い。
【００４９】
本実施形態の再生制御情報生成部２１３は、コンテンツデータ２２１が選択された際に、表示制御部２１１により上述した所定の項目の設定画面を表示させ、入力された項目の値に基づき再生制御情報３３２を生成しても良い。また本実施形態の再生制御情報生成部２１３は、任意のタイミングで設定された所定の項目の値を保持しておき、コンテンツデータ２２１が選択された際に、保持していた項目の値を用いて再生制御情報３３２を生成しても良い。本実施形態の再生制御情報３３２は、コンテンツファイル２２２と対応した情報として表示装置３００へ送信される。
【００５０】
本実施形態の特定情報生成部２１４は、表示装置３００に対するコンテンツファイル２２２の送信要求を受けると、情報端末２００内におけるコンテンツファイル２２２を特定する情報を含む特定情報を生成する。特定情報は、送信部２１７により表示装置３００へ送信される。特定情報の詳細は後述する。
【００５１】
送信判断部２１５は、特定情報を受けた表示装置３００の応答に基づき、コンテンツファイル２２２を表示装置３００へ送信するか否かを判断する。送信判断部２１５の処理の詳細は後述する。
【００５２】
コンテンツファイル生成部２１６は、送信判断部２１５によりコンテンツファイル２２２を送信すると判断されたとき、コンテンツファイル２２２に特定情報を付与した再生コンテンツファイル３３１を生成する。
【００５３】
送信部２１７は、再生制御情報と再生コンテンツファイル３３１とを表示装置３００へ送信（アップロード）する。また送信部２１７は、特定情報が生成された際に特定情報を表示装置３００へ送信する。
【００５４】
尚本実施形態の情報端末２００は、コンテンツデータ２２１が記憶部２２内に格納されているものとしたが、これに限定されない。コンテンツデータ２２１は、例えば情報端末２００が読取可能な可搬型の記録媒体に格納されていても良いし、情報端末２００と通信が可能な外部装置に格納されていても良い。
【００５５】
本実施形態の表示装置３００は、有無判断部３１１、保存制御部３１２、検証部３１３、通知部３１４を有する。また本実施形態の表示装置３００は、表示部３６に対する表示を制御する表示制御部３２０を有する。
【００５６】
さらに本実施形態の表示装置３００は、情報端末２００から送信された再生コンテンツファイル３３１と、再生制御情報３３２とが格納される記憶領域３３０を有する。尚本実施形態の記憶領域３３０は、例えば表示装置３００の有する記憶部３２に設けられても良いし、表示装置３００が読取可能な可搬型の記録媒体に設けられても良い。また記憶領域３３０は、表示装置３００と通信が可能な外部装置等に設けられても良い。
【００５７】
本実施形態の有無判断部３１１は、情報端末２００から受信した特定情報と対応する再生コンテンツファイル３３１が記憶領域３３０内に存在するか否かを判断し、判断結果を情報端末２００へ送信する。有無判断部３１１の処理の詳細は後述する。
【００５８】
本実施形態の保存制御部３１２は、情報端末２００から受信した再生コンテンツファイル３３１と再生制御情報３３２とを記憶領域３３０に格納する。より具体的には本実施形態の保存制御部３１２は、再生コンテンツファイル３３１を特定情報と対応付けて記憶領域３３０に格納する。
【００５９】
検証部３１３は、再生制御情報３３２に基づき、再生コンテンツファイルが表示装置３００において再生可能か否かを検証する。本実施形態の検証部３１３は、例えば再生コンテンツファイル３３１が表示装置３００に対応した形式のファイルであるか否か等を検証し、再生可能か否かを検証する。通知部３１４は、検証結果を情報端末２００に通知する。
【００６０】
以下に図５を参照して本実施形態の表示システム１００の動作の概要を説明する。図５は、第一の実施形態の表示システムの動作の概要を説明するシーケンス図である。
【００６１】
本実施形態の情報端末２００は、ユーザによりコンテンツデータ２２１が選択され、コンテンツファイル２２２の送信要求を受けると（ステップＳ５１）、特定情報生成部２１４によりコンテンツファイル２２２の特定情報を生成する（ステップＳ５２）。
【００６２】
続いて情報端末２００は、特定情報を表示装置３００に送信した結果に基づく送信判断部２１５の判断結果に応じて再生コンテンツファイル３３１を生成し、再生制御情報３３２と再生コンテンツファイル３３１とを表示装置３００へ送信する（ステップＳ５３）。ステップＳ５３の処理の詳細は後述する。
【００６３】
表示装置３００は、再生制御情報３３２と再生コンテンツファイル３３１とを受信すると、検証部３１３により再生コンテンツファイル３３１が再生可能か否かを検証し、通知部３１４により検証結果を情報端末２００へ通知する（ステップＳ５４）。情報端末２００は、この検証結果をディスプレイ等に表示させることでユーザに検証結果を通知する（ステップＳ５５）。
【００６４】
次に図６を参照して図５のステップＳ５３の処理の詳細を説明する。図６は、第一の実施形態におけるコンテンツファイルの送信の判断を説明するフローチャートである。
【００６５】
本実施形態の情報端末２００は、ユーザからコンテンツファイル２２２の送信要求を受けると（図５のステップＳ５２）、特定情報生成部２１４により特定情報を生成する（ステップＳ６１）。続いて情報端末２００は、送信部２１７により特定情報を表示装置３００へ送信し、送信判断部２１５により特定情報と対応する再生コンテンツファイル３３１が表示装置３００の記憶領域３３０内に存在するか否かを問い合わせる（ステップＳ６２）。
【００６６】
情報端末２００において、表示装置３００から該当する再生コンテンツファイル３３１が存在することを知らせる通知を受けると（ステップＳ６３）、コンテンツファイル２２２を送信せずに処理を終了する。尚図６のステップＳ６３の処理の詳細は後述する。
【００６７】
また情報端末２００において、表示装置３００から該当する再生コンテンツファイル３３１が存在しないことを知らせる通知を受けると（ステップＳ６３）、コンテンツファイル生成部２１６は特定情報をコンテンツファイル２２２に付与して再生コンテンツファイル３３１とする。そして情報端末２００は、送信部２１７により再生コンテンツファイル３３１を表示装置３００へ送信（アップロード）する（ステップＳ６４）。
【００６８】
以下に図７を参照して本実施形態の特定情報について説明する。図７は、第一の実施形態の特定情報を説明する第一の図である。
【００６９】
本実施形態の特定情報７１は、情報端末２００内におけるコンテンツファイル２２２を特定する情報である。より具体的には本実施形態の特定情報７１は、情報端末２００を特定する端末特定情報７２と、情報端末２００におけるコンテンツファイル２２２のファイル名や更新日時等を含むファイル特定情報７３とを含む。
【００７０】
本実施形態の特定情報７１は、端末特定情報７２とファイル特定情報７３とを含むことで、情報端末２００内におけるコンテンツファイル２２２を一意に特定する。
【００７１】
本実施形態では、例えばコンテンツファイル２２２のファイルプロパティに含まれる情報を利用して特定情報７１を生成する。ファイルプロパティに含まれる情報は、例えばコンテンツファイル２２２のファイル名、コンテンツファイル２２２の格納場所、コンテンツファイル２２２の更新日時、ファイルサイズ、ファイルの種類等の項目を有する。
【００７２】
本実施形態の特定情報７１は、ファイル特定情報７３にファイル名を利用した。
【００７３】
より具体的には本実施形態では、ファイル特定情報７３をコンテンツファイル２２２のファイル名とし、端末特定情報７２とファイル特定情報７３とを含む特定情報７１を再生コンテンツファイル３３１のファイル名とした。
【００７４】
次に本実施形態の端末特定情報７２について説明する。本実施形態の端末特定情報７２は、情報端末２００を特定することができる情報であれば良い。
【００７５】
図８は、第一の実施形態の端末特定情報の例を示す第一の図である。
【００７６】
図８の例では、情報端末２００を特定する端末特定情報７２Ａを情報端末２００のＭＡＣ（Media Access Control）アドレスとした例を示している。
【００７７】
例えば情報端末２００のＭＡＣアドレスが70：11：24：95:DE:F4であった場合について考える。この場合、特定情報生成部２１４は、コンテンツファイル２２２の送信要求を受けて、コンテンツファイル２２２のファイル名「IMG_0692.JPG」に、情報端末２００のＭＡＣアドレスを付与した特定情報７１Ａ「70112495DEF4_IMG_0692.JPG」を生成する。図８の例では、特定情報７１Ａが再生コンテンツファイル３３１のファイル名となる。
【００７８】
より一般的には、端末特定情報７２をＭＡＣアドレスとした場合の特定情報７１Ａは、{情報端末２００のＭＡＣアドレス（コロンなし）}_{コンテンツファイル２２２のファイル名}.{拡張子}となる。
【００７９】
図９は、第一の実施形態の端末特定情報の例を示す第二の図である。
【００８０】
図９の例では、情報端末２００を特定する端末特定情報７２Ｂを情報端末２００のＵＵＩＤ（Universally Unique Identifier）とした例を示している。
【００８１】
図９の例では、情報端末２００がコンテンツファイル２２２の送信要求を受けると、特定情報生成部２１４が情報端末２００のＵＵＩＤを生成する。そして特定情報生成部２１４は、生成したＵＵＩＤを端末特定情報７２Ｂとする。
【００８２】
例えば情報端末２００のＵＵＩＤが8699e324-3701-4c31-9a29-abdfe99ea93dであった場合について考える。この場合特定情報生成部２１４は、コンテンツファイル２２２の送信要求を受けて、コンテンツファイル２２２のファイル名「IMG_0692.JPG」に、情報端末２００のＵＵＩＤ（端末特定情報７２Ｂ）を付与した特定情報７１Ｂ「8699e324-3701-4c31-9a29-abdfe99ea93d_IMG_0692.JPG」を生成する。図９の例では、特定情報７１Ｂが再生コンテンツファイル３３１のファイル名となる。
【００８３】
より一般的には、端末特定情報７２をＵＵＩＤとした場合の特定情報７１Ｂは、{情報端末２００のＵＵＩＤ}_{コンテンツファイル２２２のファイル名}.{拡張子}となる。
【００８４】
次にファイル特定情報７３に、コンテンツファイル２２２のファイル名以外の情報を付与した例について説明する。
【００８５】
図１０は、第一の実施形態のファイル特定情報の例を示す第一の図である。
【００８６】
図１０に示す特定情報７１Ｃに含まれるファイル特定情報７３Ａは、コンテンツファイル２２２のファイル名に、さらにコンテンツファイル２２２のファイルプロパティに含まれる情報（以下、ファイル情報）を付加した情報とした。図１０の例では、特定情報７１Ｃが再生コンテンツファイル３３１のファイル名となる。
【００８７】
図１１は、第一の実施形態のファイル特定情報の例を示す第二の図である。
【００８８】
図１１では、特定情報７１Ｄのファイル特定情報７３Ｂに含まれるファイル情報として、コンテンツファイル２２２の更新日時を示す情報をコンテンツファイル２２２のファイル名に付与した例を示している。
【００８９】
例えば図１１の例において、特定情報７１Ｄの端末特定情報７２がＵＵＩＤであり、コンテンツファイル２２２のファイル更新日時が2013年5月31日19時16分43秒123msecであった場合、特定情報７１Ｄは、「8699e324-3701-4c31-9a29-abdfe99ea93d _2013_05_31_19_16_43_123_IMG_0692.JPG」となる。図１１の例では、特定情報７１Ｄが再生コンテンツファイル３３１のファイル名となる。
【００９０】
より一般的には、特定情報７１Ｄは、{情報端末２００のＵＵＩＤ}_{YYYY_MM_dd_hh_mm_ss_SSS}_{コンテンツファイルのファイル名}.{拡張子}となる。尚{YYYY_MM_dd_hh_mm_ss_SSS}は、アップロードするデータの更新日時をYYYY年，MM月，dd日，hh時間,mm分,ss秒,SSSmsecで表現したものである。
【００９１】
尚図１１の例における端末特定情報７２は、情報端末２００のＭＡＣアドレスであっても良い。
【００９２】
図１２は、第一の実施形態のファイル特定情報の例を示す第三の図である。
【００９３】
図１２では、特定情報７１Ｅのファイル特定情報７３Ｃにおいて、コンテンツファイル２２２のファイル名に付与されるファイル情報をコンテンツファイル２２２の更新日時を示す情報と、コンテンツファイル２２２の格納場所を示す格納場所情報とした。尚本実施形態の格納場所情報とは、情報端末２００においてコンテンツファイル２２２が格納されている場所を示す情報である。
【００９４】
例えば図１２の例において、特定情報７１Ｅの端末特定情報７２がＵＵＩＤであり、コンテンツファイル２２２のファイル更新日時が2013年5月31日19時16分43秒123msecであり、格納場所情報が「CameraRoll/Photo」であった場合、特定情報７１Ｅは、「{8699e324-3701-4c31-9a29-abdfe99ea93d_CameraRoll/Photo_2013_05_31_19_16_43_123_IMG_0692.JPG}」となる。図１２の例では、特定情報７１Ｅが再生コンテンツファイル３３１のファイル名となる。
【００９５】
より一般的には、特定情報７１Ｅは、{情報端末２００のＵＵＩＤ}_{コンテンツファイル２２２の格納場所情報}_{年月日時刻YYYY_MM_dd_hh_mm_ss_SSS}_{コンテンツファイル２２２のファイル名}.{拡張子}となる。尚図１２の例における端末特定情報７２は、情報端末２００のＭＡＣアドレスでも良い。
【００９６】
また図１１、図１２では、ファイル特定情報７３におけるファイル情報の付与の順番をファイル名の前としたが、これに限定されない。ファイル特定情報７３においてファイル情報は、ファイル名の後に付与されても良い。
【００９７】
また上述の説明では、特定情報７１においてファイル特定情報７３が端末特定情報７２の後ろに付与された例を説明したが、これに限定されない。特定情報７１は、例えばファイル特定情報７３の次に端末特定情報７２が付与されていても良い。
【００９８】
また本実施形態の特定情報７１に含まれるファイル情報は、送信制御プログラム２１０の名称や送信制御プログラム２１０の制作者、送信制御プログラム２１０の制作企業名等を含んでも良い。
【００９９】
また本実施形態では、端末特定情報７２とファイル特定情報７３との間をアンダーバーでつなげたファイル名としたが、これに限定されない。端末特定情報７２とファイル特定情報７３との間は、アンダーバー以外のものであっても良く、再生コンテンツファイル３３１のファイル名となる特定情報７１に、端末特定情報７２とファイル特定情報７３とが含まれていれば良い。
【０１００】
また本実施形態では、例えば特定情報７１の文字数が所定数以上となった場合、ファイル特定情報７３の文字数の前半部分又は後半部分を削除し、特定情報７１の文字数を減らしても良い。
【０１０１】
以上のように本実施形態の特定情報７１は、情報端末２００を特定する端末特定情報７２と、情報端末２００におけるコンテンツファイル２２２を特定するファイル特定情報７３とを含む。したがって本実施形態の特定情報７１によれば、表示装置３００に送信する再生コンテンツファイル３３１が、どの情報端末２００のどこに格納されているコンテンツファイル２２２であるかを一意に特定することができる。
【０１０２】
次に図６へ戻って、図６のステップＳ６３の処理について説明する。
【０１０３】
本実施形態の表示システム１００において、情報端末２００が特定情報７１を表示装置３００へ送信すると、表示装置３００は、有無判断部３１１により特定情報７１と対応する再生コンテンツファイル３３１が記憶領域３３０に格納されているか否かを判断する。
【０１０４】
本実施形態では、特定情報７１は、再生コンテンツファイル３３１のファイル名である。よって有無判断部３１１は、特定情報７１と同様のファイル名の再生コンテンツファイル３３１が存在するか否かを判断すれば良い。すなわち本実施形態における「特定情報７１と対応する再生コンテンツファイル３３１」とは、ファイル名が特定情報７１と一致する再生コンテンツファイルである。
【０１０５】
本実施形態の表示装置３００は、有無判断部３１１による判断結果を情報端末２００へ通知する。情報端末２００は、表示装置３００から特定情報７１とファイル名が一致する再生コンテンツファイル３３１が存在することを示す通知を受けた場合、コンテンツファイル２２２の送信を行わない。また情報端末２００は、表示装置３００から特定情報７１とファイル名が一致する再生コンテンツファイル３３１が存在しないことを示す通知を受けた場合、コンテンツファイル２２２に特定情報７１を付与した再生コンテンツファイル３３１を表示装置３００へ送信する。表示装置３００は、受信した再生コンテンツファイル３３１を記憶領域３３０へ格納する。
【０１０６】
尚本実施形態の表示装置３００は、例えば特定情報７１が付与されたコンテンツファイル２２２を受信している最中に情報端末２００との通信が途絶えた場合には、受信中の特定情報７１とコンテンツファイル２２２とを削除する。本実施形態では、この構成により、コンテンツファイル２２２の送信が未完了であるにも関わらず特定情報７１のみが表示装置３００に保存され、コンテンツファイル２２２の再送信ができなくなることを防止できる。
【０１０７】
以上のように本実施形態では、コンテンツファイル２２２を送信する際に、コンテンツファイル２２２に、情報端末２００内でコンテンツファイル２２２を特定する特定情報を付与した再生コンテンツファイル３３１として送信する。したがって本実施形態では、例えば表示装置３００に複数の情報端末２００から同じファイル名のコンテンツファイル２２２が送信された場合でも、表示装置３００はそれぞれのコンテンツファイル２２２を一意に特定することができる。また本実施形態では、送信元となる情報端末２００毎に再生コンテンツファイル３３１を、重複しないように表示装置３００に格納させることができる。
【０１０８】
したがって本実施形態では、情報端末２００から表示装置３００へコンテンツファイル２２２を送信する際に、情報端末２００を表示装置３００に認識させるための操作等が不要となり、簡便な操作でファイルを送信することができる。より具体的には本実施形態では、ユーザが情報端末２００において送信対象となるコンテンツデータ２２１を選択する操作と、コンテンツファイル２２２の送信要求を行う操作と、により表示装置３００に再生コンテンツファイル３３１を送信できる。
【０１０９】
＜第二の実施形態＞
以下に図面を参照して本発明の第二の実施形態について説明する。本発明の第二の実施形態は、表示装置における再生コンテンツファイルの格納場所情報を特定情報とする点が第一の実施形態と相違する。よって以下の第二の実施形態の説明では、第一の実施形態との相違点についてのみ説明し、第一の実施形態と同様の機能構成を有する点には第一の実施形態の説明で用いた符号と同様の符号を付与し、その説明を省略する。
【０１１０】
図１３は、第二の実施形態の特定情報を説明する図である。
【０１１１】
本実施形態では、表示装置３００における再生コンテンツファイル３３１の格納場所情報を特定情報１３１として利用する。
【０１１２】
本実施形態では、情報端末２００は、コンテンツファイル２２２を再生コンテンツファイル３３１として表示装置３００に送信する際に、表示装置３００における再生コンテンツファイル３３１の格納場所情報を特定情報として表示装置３００に送信する。
【０１１３】
図１３に示す特定情報１３１は、情報端末２００を特定する端末特定情報７２と、コンテンツファイル２２２を特定するファイル特定情報７３とを含む。すなわち本実施形態の特定情報１３１は、「/{端末特定情報}/{ファイル特定情報}.{拡張子}」となる。
【０１１４】
本実施形態の端末特定情報７２は、第一の実施形態と同様に、情報端末２００のＭＡＣアドレスであっても良いし、ＵＵＩＤであっても良い。
【０１１５】
また本実施形態のファイル特定情報７３は、第一の実施形態と同様に、コンテンツファイル２２２のファイル名であっても良い。またファイル特定情報７３は、コンテンツファイル２２２のファイル名にファイルプロパティに含まれる更新日時を示す情報や、情報端末２００におけるコンテンツファイル２２２の格納場所情報を付与した情報であっても良い。
【０１１６】
また本実施形態の特定情報生成部２１４は、例えば特定情報１３１の文字数が所定数以上となった場合、ファイル特定情報７３の文字数の前半部分又は後半部分を削除し、特定情報１３１の文字数が所定数未満となるように減らしても良い。
【０１１７】
以下に図１４を参照して第二の実施形態におけるコンテンツファイル２２２の送信の判断について説明する。図１４は、第二の実施形態におけるコンテンツファイルの送信の判断を説明する第一のフローチャートである。
【０１１８】
本実施形態の情報端末２００は、ユーザからコンテンツファイル２２２の送信要求を受けると、特定情報生成部２１４により特定情報１３１を生成する（ステップＳ１４０１）。続いて情報端末２００は、送信部２１７により特定情報１３１を表示装置３００へ送信し、送信判断部２１５により特定情報１３１と対応する再生コンテンツファイル３３１が表示装置３００の記憶領域３３０内に存在するか否かを問い合わせる（ステップＳ１４０２）。
【０１１９】
ここで、本実施形態における特定情報１３１と対応する再生コンテンツファイル３３１について説明する。
【０１２０】
本実施形態の特定情報１３１は、表示装置３００における再生コンテンツファイル３３１の格納場所情報である。よって本実施形態の特定情報１３１と対応する再生コンテンツファイル３３１は、記憶領域３３０において特定情報１３１で特定される場所に格納されている再生コンテンツファイル３３１を示す。特定情報１３１で特定される場所とは、具体的には例えば記憶領域３３０内に生成されたフォルダである。
【０１２１】
よってステップＳ１４０２では、送信判断部２１５は、特定情報１３１により特定される場所であるフォルダが、記憶領域３３０内に存在するか否かを問い合わせる。尚本実施形態では、例えば特定情報１３１に含まれる端末特定情報７２に対応するフォルダの存在の有無を表示装置３００に問い合わせても良い。そして端末特定情報７２と対応するフォルダが存在しない場合、送信判断部２１５は、表示装置３００に対し、さらにファイル特定情報７３と対応するフォルダの存在を問い合わせても良い。
【０１２２】
本実施形態の表示装置３００は、特定情報１３１共に問い合わせを受けると、有無判断部３１１により、記憶領域３３０内に、特定情報１３１が示す再生コンテンツファイル３３１の格納場所が存在するか否かを判断する。表示装置３００は、判断結果を情報端末２００へ通知する。
【０１２３】
問い合わせの結果、表示装置３００に該当するフォルダが存在する場合（ステップＳ１４０３）、送信判断部２１５は、特定情報１３１に含まれるファイル特定情報７３により特定される再生コンテンツファイル３３１が、ステップＳ１４０３で該当するフォルダに存在するか否かを表示装置３００に問い合わせる（ステップＳ１４０４）。表示装置３００から該当する再生コンテンツファイル３３１が存在する旨の通知を受けた場合（ステップＳ１４０５）、送信判断部２１５は、コンテンツファイル２２２を送信せずに処理を終了する。
【０１２４】
表示装置３００から該当する再生コンテンツファイル３３１が存在しない旨の通知を受けた場合（ステップＳ１４０５）、コンテンツファイル生成部２１６は、コンテンツファイル２２２に特定情報１３１を付与して再生コンテンツファイル３３１を生成する。そして情報端末２００は、送信部２１７により再生コンテンツファイル３３１を表示装置３００へ送信し（ステップＳ１４０６）、処理を終了する。
【０１２５】
またステップＳ１４０２における問い合わせの結果、表示装置３００に該当するフォルダが存在しない場合（ステップＳ１４０３）送信判断部２１５は、表示装置３００の保存制御部３１２に該当するフォルダを生成させる。情報端末２００は、コンテンツファイル生成部２１６によりコンテンツファイル２２２に特定情報１３１を付与した再生コンテンツファイル３３１を生成し、送信部２１７により、再生コンテンツファイル３３１を表示装置３００へ送信し（ステップＳ１４０７）、処理を終了する。尚再生コンテンツファイル３３１は、ステップＳ１４０７で生成されたフォルダに格納される。また本実施形態の送信部２１７が再生コンテンツファイル３３１を送信する場合には、再生コンテンツファイル３３１と対応する再生制御情報３３２も表示装置３００へ送信される。
【０１２６】
以上のように本実施形態では、再生コンテンツファイル３３１の格納場所情報を特定情報１３１とすることで、表示装置３００内の再生コンテンツファイル３３１を特定できる。
【０１２７】
したがって本実施形態では、例えば表示装置３００に複数の情報端末２００から同じファイル名の再生コンテンツファイル３３１が送信された場合でも、表示装置３００はそれぞれの再生コンテンツファイルを一意に特定することができる。よって本実施形態では、情報端末２００から表示装置３００へ再生コンテンツファイル３３１を送信する際に、情報端末２００を表示装置３００へ認識させる操作等が不要となり、簡便な操作でファイルを送信することができる。
【０１２８】
尚本実施形態の特定情報１３１は、表示装置３００の記憶領域３３０における再生コンテンツファイル３３１の格納場所情報としたが、これに限定されない。例えば特定情報１３１は、表示装置３００の外部に設けられた表示装置３００と通信可能な記憶装置における再生コンテンツファイル３３１の格納場所情報であっても良い。
【０１２９】
次に本実施形態の応用例について説明する。本実施形態の送信判断部２１５は、同一の再生コンテンツファイル３３１が重複して表示装置３００に送信されないように、さらに再生コンテンツファイル３３１のファイルサイズを参照しても良い。
【０１３０】
図１５は、第二の実施形態におけるコンテンツファイルの送信の判断を説明する第二のフローチャートである。
【０１３１】
図１５のステップＳ１５０１からステップＳ１５０５までの処理は、図１４のステップＳ１４０１からステップＳ１４０５までの処理と同様であるから説明を省略する。
【０１３２】
ステップＳ１５０５において、該当する再生コンテンツファイル３３１が存在する場合、送信判断部２１５は、これから送信するコンテンツファイル２２２と再生コンテンツファイル３３１のファイルサイズが一致しているか否か判断する（ステップＳ１５０７）。より詳細には、送信判断部２１５は、これから送信するコンテンツファイル２２２と、再生コンテンツファイル３３１の有するコンテンツファイル２２２のそれぞれのファイルサイズが同じか否かを判断する。
【０１３３】
ステップＳ１５０７においてファイルサイズが同じである場合、送信判断部２１５はコンテンツファイル２２２を送信せずに処理を終了する。ステップＳ１５０７においてファイルサイズが同じでない場合、ステップＳ１５０６へ進む。図１５のステップＳ１５０６の処理とステップＳ１５０８の処理は、図１４のステップＳ１４０６の処理とステップＳ１４０７の処理とはそれぞれ同様であるので、説明を省略する。
【０１３４】
また本実施形態の送信判断部２１５は、予めコンテンツファイル２２２を表示装置３００へ送信する設定となっていた場合には、判断を行わずに強制的にコンテンツファイル２２２に特定情報１３１付与した再生コンテンツファイル３３１を送信する。
【０１３５】
図１６は、第二の実施形態におけるコンテンツファイルの送信の判断を説明する第三のフローチャートである。
【０１３６】
本実施形態の情報端末２００は、ユーザからコンテンツファイル２２２の送信要求を受けると、特定情報生成部２１４により特定情報１３１を生成する（ステップＳ１６０１）。
【０１３７】
続いて送信判断部２１５は、情報端末２００においてコンテンツファイル２２２を強制的に送信する設定がされているか否かを判断する（ステップＳ１６０２）。尚強制的に送信する設定の詳細は後述する。
【０１３８】
ステップＳ１６０２において、強制的に送信する設定となっていた場合、情報端末２００はステップＳ１６０７へ進む。ステップＳ１６０２において強制的に設定する設定となっていない場合、情報端末２００はステップＳ１６０３へ進む。
【０１３９】
図１６のステップＳ１６０３からステップＳ１６０９までの処理は、図１５のステップＳ１５０２からステップＳ１５０８までの処理と同様であるから、説明を省略する。
【０１４０】
以下に図１７を参照して強制的にコンテンツファイル２２２を送信する設定について説明する。図１７は、アップロード設定画面の一例を示す図である。
【０１４１】
本実施形態の情報端末２００は、例えば表示制御部２１１により、任意のタイミングで図１７に示すアップロード（送信）設定画面１７１を表示させても良い。
【０１４２】
図１７に示すアップロード設定画面１７１では、強制的にコンテンツファイル２２２を表示装置３００へ送信する設定を行う設定ボタン１７２が表示される。図１７に示すアップロード設定画面１７１では、強制的にコンテンツファイル２２２を表示装置３００へ送信する設定がオフとなっている。アップロード設定画面１７１において、設定ボタン１７２が操作されてオンとされた場合、コンテンツファイル２２２は強制的に表示装置３００へ送信される。
【０１４３】
また本実施形態の送信判断部２１５は、送信制御プログラム２１０の起動状態を示す起動情報に応じてコンテンツファイル２２２を表示装置３００へ送信しても良い。本実施形態の起動情報とは、例えば送信制御プログラム２１０の起動回数や起動間隔を含む。
【０１４４】
図１８は、第二の実施形態におけるコンテンツファイルの送信の判断を説明する第四のフローチャートである。
【０１４５】
本実施形態の情報端末２００は、ユーザからコンテンツファイル２２２の送信要求を受けると、特定情報生成部２１４により特定情報１３１を生成する（ステップＳ１８０１）。
【０１４６】
続いて送信判断部２１５は、送信制御プログラム２１０の起動情報を参照し、コンテンツファイル２２２を表示装置３００に送信するか否かを判断する（ステップＳ１８０２）。ステップＳ１８０２の処理の詳細は後述する。
【０１４７】
ステップＳ１８０２において、強制的に送信する設定となっていた場合、情報端末２００はステップＳ１８０７へ進む。ステップＳ１８０２において強制的に設定する設定となっていない場合、情報端末２００はステップＳ１８０３へ進む。
【０１４８】
図１８のステップＳ１８０３からステップＳ１８０９までの処理は、図１５のステップＳ１５０２からステップＳ１５０８までの処理と同様であるから、説明を省略する。
【０１４９】
以下にステップＳ１８０２の処理について説明する。
【０１５０】
本実施形態の情報端末２００は、例えば送信制御プログラム２１０の起動回数及び起動間隔を記憶部２２の所定領域内に記憶する。
【０１５１】
本実施形態の送信判断部２１５は、例えば送信制御プログラム２１０の起動回数が１回目であった場合には、コンテンツファイル２２２に特定情報１３１を付与した再生コンテンツファイル３３１として表示装置３００へ送信しても良い。これは、送信制御プログラム２１０の起動回数が１回目である場合は、コンテンツファイル２２２は表示装置３００へ送信されておらず、重複したコンテンツファイル２２２が送信されることがないからである。
【０１５２】
また本実施形態では、例えば送信制御プログラム２１０が終了してから次に起動されるまでの間隔（起動間隔）が、予め設定された所定時間以上であった場合には、コンテンツファイル２２２に特定情報１３１を付与して表示装置３００へ送信しても良い。
【０１５３】
これは、送信制御プログラム２１０の起動間隔が所定時間以上である場合は、表示装置３００において再生コンテンツファイル３３１が削除されている可能性が高いと考えられるからである。
【０１５４】
また本実施形態の送信判断部２１５は、コンテンツファイル２２２のファイル情報に基づきコンテンツファイル２２２を表示装置３００へ送信するか否か判断しても良い。ファイル情報とは、コンテンツファイル２２２のファイルプロパティに含まれる情報である。
【０１５５】
図１９は、第二の実施形態におけるコンテンツファイルの送信の判断を説明する第五のフローチャートである。
【０１５６】
本実施形態の情報端末２００は、ユーザからコンテンツファイル２２２の送信要求を受けると、特定情報生成部２１４により特定情報１３１を生成する（ステップＳ１９０１）。
【０１５７】
続いて送信判断部２１５は、コンテンツファイル２２２のファイル情報を参照し、コンテンツファイル２２２を表示装置３００に送信するか否かを判断する（ステップＳ１９０２）。ステップＳ１９０２の処理の詳細は後述する。
【０１５８】
ステップＳ１９０２において、ファイル情報に基づきコンテンツファイル２２２を送信すると判断した場合、情報端末２００はステップＳ１９０７へ進む。ステップＳ１９０２においてコンテンツファイル２２２を送信しないと判断した場合、情報端末２００はステップＳ１９０３へ進む。
【０１５９】
図１９のステップＳ１９０３からステップＳ１９０９までの処理は、図１５のステップＳ１５０２からステップＳ１５０８までの処理と同様であるから、説明を省略する。
【０１６０】
以下にステップＳ１９０２の処理について説明する。
【０１６１】
本実施形態では、コンテンツファイル２２２が予め設定された特定のコンテンツファイルであった場合に、コンテンツファイル２２２に特定情報１３１を付与して表示装置３００に送信する。
【０１６２】
特定のコンテンツファイルとは、例えばファイル名が予め設定された名前であるコンテンツファイルや、拡張子が予め設定された拡張子であるコンテンツファイル等であっても良い。コンテンツファイル２２２が特定のコンテンツファイルか否かを判断するための設定は、例えば情報端末２００において任意のタイミングで表示される設定画面においてなされても良い。
【０１６３】
このように予め設定された特定のコンテンツファイルは、強制的に表示装置３００へ送信する設定とすれば、例えばユーザが送信を希望するコンテンツファイル２２２が未送信となることを防止できる。
【０１６４】
また本実施形態の送信判断部２１５は、コンテンツファイル２２２のファイルサイズが所定値以下である場合に、コンテンツファイル２２２を表示装置３００へ送信しても良い。
【０１６５】
図２０は、第二の実施形態におけるコンテンツファイルの送信の判断を説明する第六のフローチャートである。
【０１６６】
本実施形態の情報端末２００は、ユーザからコンテンツファイル２２２の送信要求を受けると、特定情報生成部２１４により特定情報１３１を生成する（ステップＳ２００１）。
【０１６７】
続いて送信判断部２１５は、コンテンツファイル２２２のファイル情報に含まれるファイルサイズを参照し、ファイルサイズが所定値より大きいか否かを判断する（ステップＳ２００２）。尚所定値は、例えば表示システム１００で使用する通信回線の速度等に応じて設定されても良い。また所定値は、ユーザにより設定された値であっても良い。
【０１６８】
ステップＳ２００２において、強制的に送信する設定となっていた場合、情報端末２００はステップＳ２００７へ進む。ステップＳ２００２において強制的に設定する設定となっていない場合、情報端末２００はステップＳ２００３へ進む。
【０１６９】
図２０のステップＳ２００３からステップＳ２００９までの処理は、図１５のステップＳ１５０２からステップＳ１５０８までの処理と同様であるから、説明を省略する。
【０１７０】
以上に説明した図１５乃至図２０の例は、第一の実施形態にも適用することができる。
【０１７１】
＜第三の実施形態＞
以下に図面を参照して本発明の第三の実施形態について説明する。本発明の第三の実施形態は、表示装置における再生コンテンツファイルの格納場所情報と、コンテンツファイルのファイル名との両方に特定情報を含める点が第一の実施形態と相違する。よって以下の第三の実施形態の説明では、第一の実施形態との相違点についてのみ説明し、第一の実施形態と同様の機能構成を有する点には第一の実施形態の説明で用いた符号と同様の符号を付与し、その説明を省略する。
【０１７２】
図２１は、第三の実施形態の特定情報を説明する図である。
【０１７３】
本実施形態では、再生コンテンツファイル３３１のファイル名と、再生コンテンツファイル３３１の表示装置３００における格納場所情報とのそれぞれを特定情報として利用する。
【０１７４】
例えば本実施形態では、表示装置３００における再生コンテンツファイル３３１の格納場所情報を特定情報１３１とし、再生コンテンツファイル３３１のファイル名をファイル特定情報７３Ａとした。本実施形態の特定情報１３１は、端末特定情報７２とファイル特定情報７３とを含む。また本実施形態のファイル特定情報７３Ａは、コンテンツファイル２２２のファイル情報と、コンテンツファイル２２２のファイル名とを含む。
【０１７５】
すなわち本実施形態では、表示装置３００における再生コンテンツファイル３３１の格納場所情報を、端末特定情報７２とファイル特定情報７３を含む特定情報１３１とし、再生コンテンツファイル３３１のファイル名をファイル特定情報７３Ａとする。尚本実施形態の端末特定情報７２は、情報端末２００のＭＡＣアドレスであっても良いし、ＵＵＩＤであっても良い。また本実施形態のファイル情報は、例えばコンテンツファイル２２２の更新日時を示す情報であっても良いし、情報端末２００におけるコンテンツファイル２２２の格納場所情報であっても良い。また本実施形態のファイル情報は、更新日時を示す情報とコンテンツファイル２２２の格納場所情報の両方を含んでも良い。
【０１７６】
以下に図２２を参照して本実施形態の情報端末２００におけるコンテンツファイル２２２の送信の判断について説明する。
【０１７７】
図２２は、第三の実施形態におけるコンテンツファイルの送信の判断を説明するフローチャートである。
【０１７８】
本実施形態の情報端末２００は、ユーザからコンテンツファイル２２２の送信要求を受けると、特定情報生成部２１４により特定情報１３１とファイル特定情報７３Ａとを生成する（ステップＳ２２０１）。本実施形態において、特定情報１３１は再生コンテンツファイル３３１の表示装置３００における格納場所情報となる。また本実施形態のファイル特定情報７３Ａは、再生コンテンツファイル３３１のファイル名となる。
【０１７９】
続いて情報端末２００は、送信部２１７によりファイル特定情報７３Ａを表示装置３００へ送信し、送信判断部２１５により特定情報７３Ａと対応する再生コンテンツファイル３３１が記憶領域３３０内に存在するか否かを問い合わせる（ステップＳ２２０２）。具体的には送信判断部２１５は、特定情報７３Ａとファイル名が一致する再生コンテンツファイル３３１が記憶領域３３０内に存在するか否かを問い合わせる。
【０１８０】
該当する再生コンテンツファイル３３１が存在しない場合（ステップＳ２２０３）、送信判断部２１５は、特定情報１３１を表示装置３００へ送信し、特定情報１３１により特定される記憶領域であるフォルダが、記憶領域３３０内に存在するか否かを問い合わせる（ステップＳ２２０４）。
【０１８１】
該当する再生コンテンツファイル３３１が存在する場合（ステップＳ２２０３）、送信判断部２１５は、後述するステップＳ２２０８へ進む。
【０１８２】
図２２のステップＳ２２０５から図２２のステップＳ２２０７までの処理は、図１４のステップＳ１４０３からステップＳ１４０５までの処理と同様であるから説明を省略する。
【０１８３】
ステップＳ２２０７において、該当する再生コンテンツファイル３３１が存在する場合、送信判断部２１５は、コンテンツファイル２２２を送信せずに処理を終了する。
【０１８４】
ステップＳ２２０７において、再生コンテンツファイル３３１が存在しない場合、コンテンツファイル生成部２１６は、コンテンツファイル２２２に特定情報１３１とファイル特定情報７３Ａとを付与して再生コンテンツファイル３３１を生成する。そして情報端末２００は、送信部２１７により再生コンテンツファイル３３１を表示装置３００へ送信し（ステップＳ２２０８）、処理を終了する。
【０１８５】
図２２のステップＳ２２０９の処理は、図１４のステップＳ１４０７の処理と同様であるから説明を省略する。
【０１８６】
以上のように本実施形態では、再生コンテンツファイル３３１の格納場所情報を特定情報１３１とし、さらに再生コンテンツファイル３３１のファイル名に特定情報１３１の一部であるファイル特定情報７３Ａを含める。本実施形態の表示装置３００は、この構成により、情報端末２００から送信された再生コンテンツファイル３３１を一意に特定することができ、同一の再生コンテンツファイル３３１が重複して格納されることを防止できる。
【０１８７】
＜第四の実施形態＞
以下に図面を参照して本発明の第四の実施形態について説明する。本発明の第四の実施形態では、特定情報７１にコンテンツファイル２２２の送信先となる表示装置３００の解像度に関する情報を含める点が第一の実施形態と相違する。よって以下の第四の実施形態の説明では、第一の実施形態との相違点についてのみ説明し、第一の実施形態と同様の機能構成を有するものには第一の実施形態の説明で用いた符号と同様の符号を付与し、その説明を省略する。
【０１８８】
図２３は、第四の実施形態の表示システムが有する各装置の機能構成の一例を示す図である。
【０１８９】
本実施形態の表示システム１００Ａは、情報端末２００Ａと表示装置３００Ａを有する。本実施形態の情報端末２００Ａにインストールされた送信制御プログラム２１０Ａは、第一の実施形態の送信制御プログラム２１０の有する各部に加え、機器情報取得部２１８を有する。
【０１９０】
本実施形態の機器情報取得部２１８は、コンテンツファイル２２２の送信要求を受け付けると、表示装置３００Ａから後述する表示装置３００Ａの機器情報３３３を取得し、記憶領域２２０Ａに格納する。本実施形態の特定情報生成部２１４は、特定情報を生成する際に、記憶領域２２０Ａに格納された機器情報３３３を参照し、特定情報を生成する。
【０１９１】
本実施形態の表示装置３００Ａにインストールされた保存制御プログラム３１０Ａは、第一の実施形態の保存制御プログラム３１０の有する各部に加え、機器情報送信部３１５を有する。また本実施形態の表示装置３００Ａの記憶領域３３０Ａには、表示装置３００Ａに関する機器情報３３３が格納されている。
【０１９２】
本実施形態の機器情報３３３は、少なくとも表示装置３００Ａの解像度情報を含む。また機器情報３３３は、例えば表示装置３００Ａを識別する機種名、表示装置３００Ａに予め設定されている初期値等を含んでも良く、さらに機器情報３３３は、表示装置３００Ａの仕様に関する情報を含んでも良い。
【０１９３】
以下に図２４を参照して本実施形態の表示システム１００Ａの動作を説明する。図２４は、第四の実施形態の表示システムの動作の概要を説明するシーケンス図である。
【０１９４】
本実施形態の情報端末２００Ａは、ユーザによりコンテンツデータ２２１が選択され、コンテンツファイル２２２の送信要求を受けると（ステップＳ２４１）、機器情報取得部２１８により表示装置３００Ａへ機器情報３３３の取得要求を行う（ステップＳ２４２）。
【０１９５】
表示装置３００Ａは、機器情報３３３の取得要求を受けると、記憶領域３３０Ａから機器情報３３３を取得し、機器情報送信部３１５により機器情報３３３を情報端末２００へ送信する（ステップＳ２４３）。
【０１９６】
情報端末２００は、機器情報３３３を取得すると、特定情報生成部２１４により特定情報を生成する（ステップＳ２４４）。本実施形態の特定情報生成部２１４による特定情報の詳細は後述する。
【０１９７】
図２４のステップＳ２４４からステップＳ２４７までの処理は、図５のステップＳ５３からステップＳ５５までの処理と同様であるから、説明を省略する。
【０１９８】
以下に図２５を参照して本実施形態の特定情報生成部２１４による特定情報の生成について説明する。図２５は、第四の実施形態の特定情報を説明する図である。
【０１９９】
本実施形態の特定情報生成部２１４は、表示装置３００Ａから機器情報３３３が取得されると、機器情報３３３に含まれる解像度情報７４を取得し、解像度情報７４を特定情報に含む特定情報７１Ｆを生成する。
【０２００】
本実施形態の特定情報７１Ｆは、端末特定情報７２と、ファイル特定情報７３に加え、表示装置３００Ａの解像度を示す解像度情報７４を含む。
【０２０１】
本実施形態では、解像度情報７４として、例えば表示画面の画素数や画素の縦横比等の情報と対応付けられた解像度情報の通称等が用いられても良い。解像度情報の通称とは、例えばＸＧＡやＷＸＧＡ等である。
【０２０２】
また本実施形態では、ファイル特定情報７３の後ろに解像度情報７４を付与するものとして説明したが、これに限定されない。本実施形態の解像度情報７４は、特定情報７１Ｆのどの位置に含まれていても良い。
【０２０３】
また本実施形態では、表示装置３００Ａから取得した機器情報３３３に含まれる解像度情報７４を特定情報７１Ｆに含ませるものとしたが、これに限定されない。特定情報７１Ｆには、機器情報３３３に含まれる解像度情報７４以外の情報が含まれても良い。具体的には例えば、表示装置３００Ａを特定する識別情報や、解像度以外の表示装置３００Ａの性能を示す情報等が含まれても良い。
【０２０４】
本実施形態では、特定情報に表示装置３００Ａの解像度情報を含ませることで、以下に説明する効果を奏する。
【０２０５】
図２６は、第四の実施形態の効果を説明する図である。
【０２０６】
図２６に示す表示システム１００Ａ１では、複数の表示装置３００Ａ１、３００Ａ２を有する。表示装置３００Ａ１と表示装置３００Ａ２の解像度が異なる。すなわち表示装置３００Ａ１の有する機器情報３３３Ａに含まれる解像度情報と、表示装置３００Ａ２の有する機器情報３３３Ｂに含まれる解像度情報とは、異なる。
【０２０７】
本実施形態の情報端末２００Ａは、表示装置３００Ａ１へのコンテンツファイル２２２の送信要求を受けると、コンテンツファイル２２２を表示装置３００Ａの解像度に合わせたコンテンツファイルとして送信することが想定される。この場合に、情報端末２００Ａから表示装置３００Ａ１に送信されるコンテンツファイル２２２のファイル名には、表示装置３００Ａ１の解像度情報が含まれる。表示装置３００Ａ１には、ＵＳＢメモリが接続されており、送信されたコンテンツファイル２２２は、再生コンテンツファイル３３１としてこのＵＳＢメモリに格納される。
【０２０８】
次に、表示装置３００Ａ１に接続されたＵＳＢメモリを表示装置３００Ａ２に接続し、情報端末２００Ａから表示装置３００Ａ１に送信したコンテンツファイル２２２と同様のコンテンツファイルを表示装置３００Ａ２に送信する場合を考える。
【０２０９】
情報端末２００Ａは、表示装置３００Ａ２へのコンテンツファイル２２２の送信要求を受けると、コンテンツファイル２２２を表示装置３００Ａ２の解像度に合わせたコンテンツファイル２２２を作成し、送信することが想定される。この場合に、情報端末２００Ａから表示装置３００Ａ２に送信されるコンテンツファイル２２２Ｂのファイル名には、表示装置３００Ａ２の解像度情報が含まれる。
【０２１０】
このように本実施形態では、コンテンツファイル２２２の内容は同じであっても、送信先となる表示装置３００Ａ１、３００Ａ２に応じた特定情報がコンテンツファイル名として付与されることになる。
【０２１１】
このため表示装置３００Ａ２は、ＵＳＢメモリ内に、これから送信されるコンテンツファイル２２２と同じ再生コンテンツファイル３３１は存在しないと判断する。よって表示装置３００Ａ２は、表示装置３００Ａ２の解像度に応じたコンテンツファイル名が付与された、表示装置３００Ａ１に送信したコンテンツファイル２２２と実体が同じコンテンツファイルをＵＳＢメモリに格納する。
【０２１２】
以上のように本実施形態では、コンテンツファイル２２２の送信先の表示装置３００Ａの機器情報を含む特定情報を、コンテンツファイル２２２のファイル名とする。したがって本実施形態では、複数の表示装置３００Ａで可搬型メモリを共有し、且つ複数の表示装置３００Ａへ実体が同じコンテンツファイル２２２の送信要求を行った場合でも、各表示装置３００Ａへコンテンツファイル２２２を送信することができる。
【０２１３】
尚、本実施形態の説明では、第一の実施形態の特定情報に機器情報（解像度情報）を付与する形態として説明したが、これに限定されない。機器情報は、第二の実施形態における特定情報に付与することもできる。
【０２１４】
また本実施形態では、情報端末２００Ａは、コンテンツファイル２２２の送信要求を受け付けると、機器情報３３３の取得要求を行うものとしたが、これに限定されない。情報端末２００Ａは、コンテンツファイル２２２を表示装置３００Ａへ送信する前に機器情報３３３を取得しておけば良く、例えば情報端末２００Ａと表示装置３００Ａとが通信を開始したときに機器情報３３３の取得要求を行っても良い。
【０２１５】
＜第五の実施形態＞
以下に図面を参照して本発明の第五の実施形態について説明する。本発明の第五の実施形態では、特定情報にコンテンツデータの変更に関する情報を含める点が第一の実施形態と相違する。よって以下の第五の実施形態の説明では、第一の実施形態との相違点についてのみ説明し、第一の実施形態と同様の機能構成を有するものには第一の実施形態の説明で用いた符号と同様の符号を付与し、その説明を省略する。
【０２１６】
図２７は、第五の実施形態の表示システムが有する各装置の機能構成の一例を示す図である。
【０２１７】
本実施形態の表示システム１００Ｂは、情報端末２００Ｂと表示装置３００を有する。本実施形態の情報端末２００Ｂにインストールされた送信制御プログラム２１０Ｂは、第一の実施形態の送信制御プログラム２１０の有する各部に加え、変更有無判定部２１９を有する。
【０２１８】
本実施形態の変更有無判定部２１９は、例えばコンテンツファイル２２２に含まれるコンテンツデータ２２１が、コンテンツファイル２２２に選択される前と比べて変更されているか否かを判定する。
【０２１９】
本実施形態の特定情報生成部２１４は、コンテンツデータ２２１に変更が加えられていた場合、コンテンツデータ２２１の変更に関する情報を示す変更情報を含む特定情報を生成する。本実施形態におけるコンテンツデータ２２１の変更と変更情報の詳細は後述する。
【０２２０】
以下に図２８を参照して本実施形態のコンテンツファイル２２２の送信について説明する。図２８は、第五の実施形態におけるコンテンツファイルの送信を説明する図である。
【０２２１】
本実施形態の情報端末２００Ｂは、コンテンツファイル２２２が生成され、コンテンツファイル２２２の送信要求を受け付けると、変更有無判定部２１９は、送信対象のコンテンツデータ２２１に変更を加えたものがあるか否かを判定する（ステップＳ２８１）。
【０２２２】
ステップＳ２８１において変更を加えたものがある場合、特定情報生成部２１４は、変更情報を含む特定情報を生成する（ステップＳ２８２）。
【０２２３】
ステップＳ２８１において変更を加えたものがない場合、情報端末２００ＢはステップＳ２８３へ進む。
【０２２４】
図２８のステップＳ２８３からステップＳ２８６までの処理は、図６のステップＳ６１からステップＳ６４までの処理と同様であるから、説明を省略する。
【０２２５】
図２９は、第五の実施形態の特定情報の一例を示す第一の図である。本実施形態の特定情報７１Ｇは、端末特定情報７２と、ファイル特定情報７３に加え、変更情報７５を含む。
【０２２６】
尚、図２９では、変更情報７５は、ファイル特定情報７３の後ろに付与するものとしたが、これに限定されない。本実施形態の変更情報７５は、特定情報７１Ｇのどの位置に含まれていても良い。
【０２２７】
以下に本実施形態のコンテンツデータ２２１の変更と、変更情報７５について説明する。
【０２２８】
本実施形態におけるコンテンツデータ２２１の変更とは、例えばコンテンツデータ２２１のサイズや解像度を変更することやコンテンツデータ２２１を圧縮することを含む。また本実施形態におけるコンテンツデータ２２１変更とは、コンテンツデータ２２１を表示に合わせた向きに回転させること等を含む。
【０２２９】
本実施形態では、例えばコンテンツデータ２２１のサイズを変更した場合、変更後のサイズ情報を変更情報７５とする。本実施形態では、例えば特定情報生成部２１４が変更後のコンテンツデータ２２１を解析して変更情報７５を取得しても良い。また本実施形態では、例えば情報端末２００Ｂに、予めコンテンツデータ２２１の変更に関する設定を行う機能を持たせ、この機能により設定された変更に関する情報を変更情報７５としても良い。
【０２３０】
図３０は、第五の実施形態の特定情報の一例を示す第二の図である。図３０に示す特定情報７１Ｈは、変更情報としてサイズ情報７５Ａを含む。
【０２３１】
サイズ情報７５Ａは、例えばコンテンツデータ２２１の縦の画素数と横の画素数とで示されても良い。具体的には例えば、サイズ変更後のコンテンツデータ２２１の縦の画素数が８００ｄｐｉで横の画素数が１２８０ｄｐｉであった場合、サイズ情報７５Ａは、「Ｈ８００Ｗ１２８０」となる。
【０２３２】
図３１は、第五の実施形態の特定情報の一例を示す第三の図である。図３１に示す特定情報７１Ｉは、変更情報として変更後の解像度情報７５Ｂを含む。
【０２３３】
解像度情報７５Ｂは、コンテンツデータ２２１の解像度を示す情報である。本実施形態の解像度情報７５Ｂは、例えば画素数や画素の縦横比等の情報と対応付けられた解像度情報の通称が用いられても良い。具体的には例えば、コンテンツデータ２２１の解像度をＸＧＡと対応付けられた解像度からＷＸＧＡと対応付けられた解像度へ変更した場合、解像度情報７５Ｂは、「ＷＸＧＡ」となる。
【０２３４】
図３２は、第五の実施形態の特定情報の一例を示す第四の図である。図３２に示す特定情報７１Ｊは、変更情報として変更後の圧縮情報７５Ｃを含む。
【０２３５】
圧縮度情報７５Ｃは、例えばコンテンツデータ２２１がコンテンツファイル２２２に選択された際に圧縮された場合に、特定情報７１Ｊに含まれる。本実施形態の圧縮情報７５Ｃは、例えばコンテンツデータ２２１の圧縮形式や拡張子等である。
【０２３６】
例えば、例えばコンテンツデータ２２１が送信対象となるコンテンツファイル２２２に選択された際に、コンテンツデータ２２１の圧縮形式がＰＮＧ形式からＪＰＥＧ形式に変更された場合、圧縮情報７５Ｃは「ＪＰＥＧ」となる。
【０２３７】
本実施形態における圧縮形式は、ＰＮＧ形式（拡張子.png）やＪＰＥＧ形式（拡張子.jpg／.jpeg）以外にも、例えばＢＭＰ形式（拡張子.bmp）、ＧＩＦ形式（拡張子.gif）、ＴＩＦＦ形式（拡張子.tif／.tiff）等がある。
【０２３８】
また本実施形態の圧縮情報７５Ｃは、例えばコンテンツデータ２２１の圧縮の品質を示す情報であっても良い。具体的には、本実施形態の圧縮情報７５Ｃは、例えば情報端末２００Ｂの仕様等により、圧縮の度合と対応付けられた数値等である。
【０２３９】
例えば情報端末２００Ｂが、その仕様において、圧縮の品質として、ＪＰＥＧ圧縮品質１００とＪＰＥＧ圧縮品質８０の２種類を有する場合、情報端末２００Ｂは、選択された圧縮の品質に応じたコンテンツデータ２２１の圧縮を行う。
【０２４０】
例えば情報端末２００Ｂにおいて、コンテンツデータ２２１に対してＪＰＥＧ圧縮品質１００が選択されていた場合、特定情報７１Ｉに含まれる圧縮情報７５Ｃは、「ＪＰＥＧ＿ＱＵＡＬＩＴＹ１００」となる。
【０２４１】
また本実施形態では、コンテンツデータ２２１の圧縮の品質がユーザに設定されても良い。この場合、情報端末２００Ｂは、圧縮の品質と、圧縮の品質と対応した値と、とが格納された圧縮品質テーブルを有し、ユーザにより選択された品質に対応する値を圧縮情報７５Ｃとしても良い。
【０２４２】
図３３は、圧縮品質テーブルの一例を示す図である。
【０２４３】
圧縮テーブル３４１では、圧縮品質を示す項目と、圧縮品質に対応する値とが対応付けられている。圧縮テーブル３４１において、圧縮品質は「画質優先」と「転送優先」とを含む。本実施形態の情報端末２００Ｂでは、例えば画質優先が選択された場合、画質が優先されるようにコンテンツデータ２２１の圧縮を行う。具体的には、情報端末２００Ｂは、圧縮率を低くし、コンテンツデータ２２１の画質を維持する。
【０２４４】
また本実施形態の情報端末２００Ｂでは、転送優先が選択された場合、転送速度が優先させれるようにコンテンツデータ２２１を圧縮する。具体的には、情報端末２００Ｂは、圧縮率を高くし、コンテンツデータ２２１のサイズを小さくし、コンテンツファイル２２２の表示装置３００に対する送信時間を短くさせる。
【０２４５】
本実施形態の情報端末２００Ｂにおいて、例えばコンテンツデータ２２１に対する圧縮品質に、画質優先が選択された場合、圧縮情報７５Ｃは「JPEG _IMAGEPRIORITY」とする。また、例えばコンテンツデータ２２１に対する圧縮品質に、転送優先が選択された場合、圧縮情報７５Ｃは「JPEG _TRANSFERPRIORITY」となる。
【０２４６】
図３４は、第五の実施形態の特定情報の一例を示す第五の図である。図３４に示す特定情報７１Ｋは、変更情報としてコンテンツデータ２２１の回転情報７５Ｄを含む。
【０２４７】
本実施形態の情報端末２００Ｂは、コンテンツデータ２２１が送信対象として選択された際に、コンテンツデータ２２１に含まれるＥｘｉｆ（Exchangeable image file format）情報に基づき、コンテンツデータ２２１を表示の向きに合わせて回転させる場合がある。
【０２４８】
この場合、特定情報生成部２１４は、コンテンツデータ２２１の回転に関する回転情報７５Ｄを変更情報として特定情報７１Ｋに含ませる。本実施形態の回転情報７５Ｄは、例えばコンテンツデータ２２１の回転角度等を含む。例えば、コンテンツデータ２２１を９０度回転させた場合、回転情報７５Ｄは、Rotate（回転）の頭文字Ｒと回転角の９０を含む「Ｒ９０」等としても良い。
【０２４９】
本実施形態では、情報端末２００Ｂ側で、コンテンツデータ２２１の向きを表示の向きに合わせて回転させることで、表示装置３００における処理の負荷を軽減させる。
【０２５０】
図３５は、第五の実施形態の特定情報の一例を示す第六の図である。図３５に示す特定情報７１Ｌは、変更情報としてコンテンツデータ２２１に含まれるＥｘｉｆ（Exchangeable image file format）情報を削除したことを示すＥｘｉｆ削除情報７５Ｅを含む。Ｅｘｉｆ情報とは、例えばデジタルカメラ等が撮像された画像をデジタルデータとして扱うために付加される、画像の撮像に係る付加情報である。
【０２５１】
本実施形態の情報端末２００Ｂは、コンテンツデータ２２１が送信対象として選択された場合に、コンテンツデータ２２１に付与されたＥｘｉｆ情報を削除する場合がある。この場合、特定情報生成部２１４は、Ｅｘｉｆ削除情報７５Ｅを「REMOVEEXIF」等としても良い。尚、本実施形態では、Ｅｘｉｆ情報が削除されていない場合、Ｅｘｉｆ削除情報７５Ｅは付与しない。
【０２５２】
本実施形態では、上述した各種の情報を組み合わせて変更情報７５としても良い。例えば本実施形態の変更情報７５は、コンテンツデータ２２１のサイズ情報７５Ａと、回転情報７５Ｄと、Ｅｘｉｆ削除情報７５Ｅとを含んでいても良い。また本実施形態の変更情報７５は、例えば解像度情報７５Ｂと圧縮情報７５Ｃとを含んでいても良い。
【０２５３】
さらに本実施形態の変更情報７５は、送信対象として選択された複数のコンテンツデータ２２１を含むコンテンツファイル２２２において、変更が施されたコンテンツデータ２２１を特定する情報を含んでも良い。
【０２５４】
例えばコンテンツデータ２２１ａ，２２１ｂ，２２１ｃを含むコンテンツファイル２２２において、コンテンツデータ２２１ｂのみを回転させた場合を考える。この場合、特定情報生成部２１４は、回転情報７５Ｄにコンテンツデータ２２１ｂを特定する情報を含ませても良い。
【０２５５】
本実施形態では、以上のようにコンテンツデータ２２１の変更に関する変更情報を特定情報に含める。よって本実施形態では、送信対象として選択されたコンテンツデータ２２１が同じであっても、コンテンツデータ２２１に変更があれば表示装置３００へコンテンツファイル２２２を送信することができる。
【０２５６】
第四の実施形態と第五の実施形態については、再生コンテンツファイル３３１のファイル名に付与される特定情報７１に対して、解像度情報７４や変更情報７５が含まれるものとしたが、これに限定されない。解像度情報７４や変更情報７５は、表示装置３００における再生コンテンツファイル３３１の格納場所情報を示す特定情報１３１にも同様に含ませることができる。
【０２５７】
＜第六の実施形態＞
以下に、図面を用いて第六の実施形態について説明する。第一乃至第五の実施形態と共通する部分については説明を省略し、異なる部分について説明する。
【０２５８】
第六の実施形態は、表示装置３００に記憶されている再生コンテンツファイル３３１を削除する方法等に関する。
【０２５９】
（６．１  機能構成）
図３６は第六の実施形態の表示システム１００が有する各装置の機能構成の一例を示す図である。
【０２６０】
本実施形態に係る情報端末２００は、ファイル削除判断部２３０とファイル削除実行部２４０とを有する。
【０２６１】
ファイル削除判断部２３０は、表示装置３００から再生コンテンツファイル３３１を正常に記憶していない旨の通知を受けた場合、再生コンテンツファイル３３１を削除するか判断する。
【０２６２】
例えば、再生コンテンツファイル３３１が、情報端末２００から表示装置３００に送信する時に転送エラーにより破損した場合、若しくは再生コンテンツファイル３３１が表示装置３００で発生したエラーにより破損した場合、再生コンテンツファイル３３１は正常に記憶されていない状態となる。
【０２６３】
ファイル削除判断部２３０は、情報端末２００が記憶しているコンテンツファイル２２２が正常に記憶されていない場合に、コンテンツファイル２２２を削除するか判断する。
【０２６４】
例えば、コンテンツファイル２２２が情報端末２００から表示装置３００に転送される時に、転送エラーにより破損した場合、若しくはコンテンツファイル２２２が情報端末２００で発生したエラーにより破損した場合、コンテンツファイル２２２は正常に記憶されていない状態となる。
【０２６５】
ファイル削除判断部２３０が再生コンテンツファイル３３１を削除すると判断した場合、送信部２１７は、表示装置３００に再生コンテンツファイル３３１を削除する指示を送信する。表示装置３００は、削除する指示を受信すると、特定情報を用いて削除する再生コンテンツファイル３３１を特定する。
【０２６６】
ファイル削除判断部２３０がコンテンツファイル２２２を削除すると判断した場合、ファイル削除実行部２４０は、コンテンツファイル２２２を削除する。
【０２６７】
次に、本実施形態に係る表示装置３００の機能構成について説明する。
【０２６８】
検証部３１３は、再生コンテンツファイル３３１が、正常に記憶されているか検証する。再生コンテンツファイル３３１が正常に記憶されていない場合には、検証部３１３は、通知部３１４に、再生コンテンツファイル３３１が正常に記憶されていない旨を情報端末２００に通知するよう指示する。
【０２６９】
通知部３１４は、指示を受けて情報端末２００に再生コンテンツファイル３３１が正常に記憶されていない旨を通知する。
【０２７０】
表示装置３００が情報端末２００から、再生コンテンツファイル３３１の記憶の状況に関する問い合わせを受けたことに応じて、検証部３１３は、再生コンテンツファイル３３１が、正常に記憶されているかを検証してもよい。また、検証部３１３は、再生コンテンツファイル３３１が、正常に記憶されているか定期的に検証してもよい。
【０２７１】
表示装置３００が情報端末２００から再生コンテンツファイル３３１の削除指示を受信した場合、保存制御部３１２は、再生コンテンツファイル３３１の削除を実行する。
【０２７２】
（６．２  動作手順）
図３７乃至図４１を用いて、本実施形態に係る動作手順を説明する。具体的には、再生コンテンツファイル３３１の削除に係る動作について説明する。
【０２７３】
（６．２．１  フローチャート  その１）
図３７は第六の実施形態における動作の一例を示すフローチャートである。
【０２７４】
ステップＳ３７０１で、情報端末２００は、コンテンツファイル２２２に特定情報を付与して生成された再生コンテンツファイル３３１を、表示装置３００に送信する。
【０２７５】
ステップＳ３７０２で、表示装置３００は、再生コンテンツファイル３３１を受信後に、正常に再生コンテンツファイル３３１を記憶しているか検証する。
【０２７６】
再生コンテンツファイル３３１が正常に記憶されている場合（ステップＳ３７０２  ＹＥＳ）、処理を終了する。
【０２７７】
再生コンテンツファイル３３１が正常に記憶されていない場合（ステップＳ３７０２  Ｎｏ）、ステップＳ３７０３に進む。
【０２７８】
ステップＳ３７０３で、再生コンテンツファイル３３１が正常に記憶されていない旨の通知を表示装置３００から受信すると、情報端末２００は、再生コンテンツファイル３３１を削除すると判断し、削除の指示を表示装置３００に送信する。
【０２７９】
（６．２．２  シーケンス  その１）
図３８は第六の実施形態における動作の一例を示すシーケンス図である。本シーケンスでは、再生コンテンツファイル３３１が正常に記憶されていない場合、表示装置３００が、再生コンテンツファイル３３１が正常に記憶されていない旨の通知を送信する。
【０２８０】
ステップＳ３８０１で、情報端末２００はコンテンツファイル２２２を表示装置３００に送信する指示を情報端末２００のユーザから受信する。
【０２８１】
ステップＳ３８０２で、情報端末２００は、特定情報を生成する。情報端末２００は、生成された特定情報をコンテンツファイル２２２に付与して再生コンテンツファイル３３１を生成する。
【０２８２】
ステップＳ３８０３で、情報端末２００は再生コンテンツファイル３３１を記憶しているか表示装置３００に問い合わせる。当該問い合わせには、特定情報が含まれる。
【０２８３】
ステップＳ３８０４で、表示装置３００は、再生コンテンツファイル３３１の有無を確認する。
【０２８４】
ステップＳ３８０５で、表示装置３００は、再生コンテンツファイル３３１の有無を情報端末２００に応答する。つまり、表示装置３００は、再生コンテンツファイル３３１を記憶しているか情報端末２００に送信する。再生コンテンツファイル３３１が表示装置３００に記憶されていない場合、表示装置３００は、情報端末２００に記憶されてない旨を通知する。
【０２８５】
ステップＳ３８０６で、情報端末２００は、再生コンテンツファイル３３１を表示装置３００に送信する。
【０２８６】
再生コンテンツファイル３３１が表示装置３００に記憶された後に、Ｓ３８０７以降の動作が実行される。
【０２８７】
ステップＳ３８０７で、表示装置３００は、再生コンテンツファイル３３１の記憶状況を確認する。
【０２８８】
記憶状況の確認の結果、再生コンテンツファイル３３１にエラーが検出された場合、例えば、データの破損が検出された場合、ステップＳ３８０８で、表示装置３００は、再生コンテンツファイル３３１の記憶の状況を情報端末２００に通知する。記憶の状況には、エラーが検出された旨が含まれる。また、記憶の状況に、データの破損、又はデータの欠落等のエラー種別が含まれてもよい。
【０２８９】
ステップＳ３８０９で、情報端末２００は、コンテンツファイル２２２の記憶の状況を確認する。表示装置３００に記憶されている再生コンテンツファイル３３１にエラーが検出された場合には、同じ理由で情報端末２００にもエラーが発生している可能性が高いためである。
【０２９０】
コンテンツファイル２２２の記憶の状況を確認した結果、エラーが検出された場合には、ステップＳ３８１０で、情報端末２００は、コンテンツファイル２２２を削除する。
【０２９１】
ステップＳ３８１１で、情報端末２００は、再生コンテンツファイル３３１の削除の指示を表示装置３００に送信する。削除の指示には、再生コンテンツファイル３３１を特定する情報である特定情報が含まれる。
【０２９２】
ステップＳ３８１２で、表示装置３００は、再生コンテンツファイル３３１を削除する。
【０２９３】
（６．２．３  シーケンス  その２）
図３９は第六の実施形態における動作の一例を示すシーケンス図である。図３８のシーケンス図と共通する部分については説明を省略し異なる部分を中心に説明する。
【０２９４】
本シーケンスでは、情報端末２００からの問い合わせに応じて表示装置が、再生コンテンツファイル３３１の記憶の状況を応答する。
【０２９５】
ステップＳ３９０１からステップＳ３９０６は、ステップＳ３８０１からステップＳ３８０６と同じであるため説明を省略する。
【０２９６】
再生コンテンツファイル３３１が、表示装置３００に記憶された後、ステップＳ３９０７以降の動作が実行される。
【０２９７】
ステップＳ３９０７で、情報端末２００は、記憶されているコンテンツファイル２２２の記憶の状況を確認する。
【０２９８】
ステップＳ３９０８で、情報端末２００は、記憶されているコンテンツファイル２２２にエラーを検出した場合、コンテンツファイル２２２を削除する。
【０２９９】
ここで、ステップＳ３９０７とステップＳ３９０８の動作はオプションであり、情報端末２００はこれらの動作を実行しないでもよい。
【０３００】
ステップＳ３９０９で、情報端末２００は、表示装置３００に再生コンテンツファイル３３１の記憶の状況を問い合わせる。
【０３０１】
ステップＳ３９１０で、表示装置３００は、再生コンテンツファイル３３１の記憶の状況を確認する。
【０３０２】
ステップＳ３９１１で、表示装置３００は、情報端末２００に再生コンテンツファイル３３１の記憶の状況を通知する。記憶の状況を確認した結果、再生コンテンツファイル３３１にエラーが検出された場合、例えば、データの破損が検出された場合、表示装置３００は、再生コンテンツファイル３３１にエラーが発生している旨を通知する。
【０３０３】
ステップＳ３９１２で、情報端末２００は、再生コンテンツファイル３３１を削除すると判断し、再生コンテンツファイル３３１を削除する指示を表示装置３００に送信する。
【０３０４】
ステップＳ３９１３で、表示装置３００は、再生コンテンツファイル３３１の削除の指示を受けて、再生コンテンツファイル３３１を削除する。削除の指示には、再生コンテンツファイル３３１を特定する情報である特定情報が含まれる。
【０３０５】
（６．２．４  シーケンス  その３）
図４０は第六の実施形態における動作の一例を示すシーケンス図である。図３８及び図３９のシーケンス図と共通する部分については説明を省略し異なる部分を中心に説明する。
【０３０６】
本シーケンスでは、表示装置３００が、再生コンテンツファイル３３１の記憶の状況を確認し、エラーが検出された場合には、再生コンテンツファイル３３１を削除する。
【０３０７】
ステップＳ４００１からステップＳ４００６は、ステップＳ３８０１からステップＳ３８０６と同じであるため説明を省略する。
【０３０８】
ステップＳ４００７で、表示装置３００は、再生コンテンツファイル３３１の記憶の状況を確認する。確認の結果、エラーが検出された場合、表示装置３００は、再生コンテンツファイル３３１を削除する。
【０３０９】
再生コンテンツファイル３３１が削除された後で、表示装置３００が、情報端末２００から再生コンテンツファイル３３１を記憶しているか問い合わせを受けた場合、表示装置３００は、問い合わせを受けた再生コンテンツファイル３３１を記憶していない旨の応答をし、情報端末２００から再度、再生コンテンツファイル３３１を取得する。
【０３１０】
（６．２．５  フローチャート  その２）
図４１は第六の実施形態における動作の一例を示すフローチャートである。
【０３１１】
ステップＳ４１０１からステップＳ４１０５については、ステップＳ１４０１からステップＳ１４０５と同じであるため説明を省略する。
【０３１２】
ステップＳ４１０６で、情報端末２００は、特定情報が付与されたコンテンツファイル２２２である再生コンテンツファイル３３１を表示装置３００に送信する。
【０３１３】
ステップＳ４１０７で、表示装置３００は、特定情報を含むフォルダを作成する。また、表示装置３００は、特定情報が付与されたコンテンツファイル２２２である再生コンテンツファイル３３１を情報端末２００から受信する。
【０３１４】
ステップＳ４１０８で、表示装置３００は、再生コンテンツファイル３３１を受信後に、正常に再生コンテンツファイル３３１を記憶しているか検証する。
【０３１５】
再生コンテンツファイル３３１が正常に記憶されている場合（ステップＳ４１０８  ＹＥＳ）、処理を終了する。
【０３１６】
再生コンテンツファイル３３１が正常に記憶されていない場合（ステップＳ４１０８  Ｎｏ）、ステップＳ４１０９に進む。
【０３１７】
ステップＳ４１０９で、再生コンテンツファイル３３１が正常に記憶されていない旨の通知を表示装置３００から受信すると、情報端末２００は、再生コンテンツファイル３３１を削除すると判断し、削除の指示を表示装置３００に送信する。
【０３１８】
上述したように、第六の実施形態によれば、再生コンテンツファイル３３１にエラーが生じている場合には、表示装置３００から再生コンテンツファイル３３１が削除される。また、コンテンツファイル２２２にエラーが生じている場合には、情報端末２００からコンテンツファイル２２２が削除される。
【０３１９】
エラーの生じている再生コンテンツファイル３３１とコンテンツファイル２２２とを削除できるため、再度、情報端末２００から表示装置３００に再生コンテンツファイル３３１を送信することが可能となる。
【０３２０】
＜第七の実施形態＞
以下に、図面を用いて第七の実施形態について説明する。第一乃至第六の実施形態と共通する部分については説明を省略し、異なる部分について説明する。
【０３２１】
第七の実施形態は、表示装置３００に保持されている再生コンテンツファイル３３１を削除する場合の排他制御方法等に関する。
【０３２２】
（７．１  排他制御の概要）
図４２を用いて排他制御の概要について説明する。図４２は、第七の実施形態における制御の概要を示す図である。
【０３２３】
表示装置３００は、複数の情報端末２００（情報端末２００Ａ、情報端末２００Ｂ）から、特定情報が付与されたコンテンツファイル２２２である再生コンテンツファイル３３１を受信する。
【０３２４】
表示装置３００で記憶している再生コンテンツファイル３３１にエラーが検出された場合、表示装置３００は、情報端末２００Ａから当該再生コンテンツファイル３３１の削除の指示を受信し、削除を実行する。
【０３２５】
表示装置３００が、情報端末２００Ａからの指示に基づいて削除を実行する場合に、誤って情報端末２００Ｂから受信した再生コンテンツファイル３３１を削除してしまう可能性がある。
【０３２６】
例えば、特定情報に情報端末２００を一意に特定する情報が含まれない場合、表示装置３００は、情報端末２００Ｂから受信した再生コンテンツファイル３３１を削除してしまう可能性がある。
【０３２７】
このため、本実施形態に係る情報端末２００は、再生コンテンツファイル３３１を情報端末２００に送信する前に、該再生コンテンツファイル３３１に排他制御の設定を行う。
【０３２８】
ここで排他制御の設定とは、表示装置３００が、再生コンテンツファイル３３１を送信した情報端末２００からのみ、該再生コンテンツファイル３３１に対する削除、設定変更等の指示を受け付けるように設定することである。
【０３２９】
本実施形態に係る表示装置３００は、受信した再生コンテンツファイル３３１の排他制御の設定の有無、及び再生コンテンツファイル３３１を送信した情報端末２００を記憶する。表示装置３００は、再生コンテンツファイル３３１に排他制御の設定がされている場合、該再生コンテンツファイル３３１を送信した情報端末２００以外から該再生コンテンツファイル３３１を削除する指示を受信した場合には、削除を実行しない。
【０３３０】
なお、本実施形態における排他制御は、最初に削除の指示を送信した情報端末２００が、削除の指示が完了し、再生コンテンツファイル３３１が削除されるまで表示装置３００の保存制御プログラム３１０をロックする悲観的排他制御を適用してもよい。また、表示装置３００の保存制御プログラム３１０にフラグをセットし、再生コンテンツファイル３３１が削除されるまでフラグが残っている場合に、削除可能となる楽観的排他制御を適用してもよい。いずれの排他制御を適用しても、再生コンテンツファイル３３１を削除できるのは、該再生コンテンツファイル３３１を送信した情報端末２００のみだからである。
【０３３１】
上述した実施形態では、再生コンテンツファイル３３１に排他制御の設定がされている場合、表示装置３００は、再生コンテンツファイル３３１の削除を指示した情報端末２００が、該再生コンテンツファイル３３１を送信したか否かを判断して削除を実行する方法等について説明した。
【０３３２】
ここで、表示装置３００は、排他制御の設定がされている場合、再生コンテンツファイル３３１を送信した情報端末２００の使用者と、該再生コンテンツファイル３３１の削除の指示を送信した情報端末２００の使用者とが同じか否かに基づいて、再生コンテンツファイル３３１を削除するか否か判断してもよい。使用者が同じか否かの判断には、使用者を一意に特定する情報、例えば使用者ＩＤ等に基づいて判断してもよい。
【０３３３】
これにより、使用者は、複数の情報端末２００を使用する場合でも、再生コンテンツファイル３３１の排他制御の設定および、該再生コンテンツファイルの削除をすることができる。
【０３３４】
（７．２  機能構成）
図４３は第七の実施形態の表示システム１００が有する各装置の機能構成の一例を示す図である。
【０３３５】
本実施形態に係る情報端末２００は、排他制御設定部２５０を有する。その他の機能部については第六の実施形態に係る情報端末２００と同じである。
【０３３６】
排他制御設定部２５０は、コンテンツファイル２２２に排他制御の設定を行う。
【０３３７】
送信部２１７が、コンテンツファイル２２２に特定情報を付与した再生コンテンツファイル３３１を表示装置３００に送信する時に、該再生コンテンツファイル３３１に排他制御の設定がされている場合、送信部２１７は、排他制御の設定情報を合わせて表示装置３００に送信する。
【０３３８】
次に、本実施形態に係る表示装置３００の機能構成について説明する。
【０３３９】
表示装置３００は、情報端末２００から再生コンテンツファイル３３１と、排他制御の設定情報を受信すると、記憶領域３３０に、再生コンテンツファイル３３１と、排他制御の設定情報と、送信元の情報端末２００とを特定する情報とを関連付けて記憶する。
【０３４０】
保存制御部３１２は、情報端末２００から再生コンテンツファイル３３１の削除の指示を受けると、該再生コンテンツファイル３３１の排他制御の設定を確認する。排他制御の設定がされている場合、保存制御部３１２は、該再生コンテンツファイル３３１を送信した情報端末２００と、削除の指示を送信した情報端末２００とが同じであるか確認する。
【０３４１】
該再生コンテンツファイル３３１を送信した情報端末２００と、削除の指示を送信した情報端末２００とが同じ場合、保存制御部３１２は、再生コンテンツファイル３３１を削除する。
【０３４２】
（７．３  動作手順）
図４４乃至図４６を用いて、本実施形態に係る動作手順を説明する。具体的には、再生コンテンツファイル３３１を削除する時の排他制御に係る動作について説明する。
【０３４３】
（７．３．１  フローチャート）
図４４は第七の実施形態における動作の一例を示すフローチャートである。
【０３４４】
ステップＳ４４０１で、情報端末２００は、コンテンツファイル２２２に排他制御の設定を行う。
【０３４５】
ステップＳ４４０２で、情報端末２００は、コンテンツファイル２２２に特定情報を付与した再生コンテンツファイル３３１と、排他制御の設定情報とを、表示装置３００に送信する。
【０３４６】
ステップＳ４４０３で、表示装置３００は、正常に再生コンテンツファイル３３１を記憶しているか確認する。正常に再生コンテンツファイル３３１を記憶している場合（ステップＳ４４０３  ＹＥＳ）、処理を終了する。正常に再生コンテンツファイル３３１を記憶していない場合（ステップＳ４４０３  ＮＯ）、ステップＳ４４０４に進む。
【０３４７】
ステップＳ４４０４で、表示装置３００は、再生コンテンツファイル３３１の削除の指示を受信すると、該削除の指示を送信した情報端末２００と、再生コンテンツファイル３３１を送信した情報端末２００とが同じかを確認する。
【０３４８】
該削除の指示を送信した情報端末２００と、再生コンテンツファイル３３１を送信した情報端末２００とが異なる場合（ステップＳ４４０４  ＮＯ）、処理を終了する。
【０３４９】
一方、該削除の指示を送信した情報端末２００と、再生コンテンツファイル３３１を送信した情報端末２００とが同じ場合（ステップＳ４４０４  ＹＥＳ）、ステップＳ４４０５に進む。
【０３５０】
ステップＳ４４０５で、表示装置３００は、再生コンテンツファイル３３１を削除する。
【０３５１】
（７．３．２  シーケンス  その１）
図４５は第七の実施形態における動作の一例を示すシーケンス図である。
【０３５２】
ステップＳ４５０１からステップＳ４５０５は、ステップＳ３８０１からステップＳ３８０５と同じ手順のため、説明を省略する。
【０３５３】
ステップＳ４５０６で、情報端末２００は、コンテンツファイル２２２に排他制御の設定を行う。
【０３５４】
ステップＳ４５０７で、情報端末２００は、コンテンツファイル２２２に特定情報を付与した再生コンテンツファイル３３１と、排他制御の設定情報とを、表示装置３００に送信する。
【０３５５】
ステップＳ４５０８からステップＳ４５１１の手順については、ステップＳ３８０７からステップＳ３８１０の手順と同じであるため説明を省略する。
【０３５６】
ステップＳ４５１２で、情報端末２００は、削除の対象である再生コンテンツファイル３３１に排他制御の設定がされているか問い合わせをする。問い合わせには、対象となる再生コンテンツファイル３３１の特定情報が含まれる。
【０３５７】
ステップＳ４５１３で、表示装置３００は、情報端末２００からのステップＳ４５１２における問い合わせに応答する。
【０３５８】
ステップＳ４５１２とステップＳ４５１３の手順は、オプションであり、情報端末２００と表示装置３００はこれらの手順を実施しないでもよい。
【０３５９】
ステップＳ４５１４で、情報端末２００は、再生コンテンツファイル３３１の削除の指示を送信する。削除の指示には、対象となる再生コンテンツファイル３３１の特定情報が含まれる。
【０３６０】
ステップＳ４５１５で、表示装置３００は、再生コンテンツファイル３３１の削除の指示を受信すると、該削除の指示を送信した情報端末２００と、再生コンテンツファイル３３１を送信した情報端末２００とが同じかを確認する。同じ場合には、表示装置３００は、再生コンテンツファイル３３１を削除する。
【０３６１】
一方、該削除の指示を送信した情報端末２００と、再生コンテンツファイル３３１を送信した情報端末２００とが異なる場合、再生コンテンツファイル３３１を削除しない。
【０３６２】
（７．３．３  シーケンス  その２）
図４６は第七の実施形態における動作の一例を示すシーケンス図である。
【０３６３】
ステップＳ４６０１からステップＳ４６０５については、ステップＳ３９０１からステップＳ３９０５と同じであるため説明を省略する。
【０３６４】
ステップＳ４６０６で、情報端末２００は、コンテンツファイル２２２に排他制御の設定を行う。
【０３６５】
ステップＳ４６０７で、情報端末２００は、コンテンツファイル２２２に特定情報を付与した再生コンテンツファイル３３１と、排他制御の設定情報とを、表示装置３００に送信する。
【０３６６】
ステップＳ４６０８からステップＳ４６１２については、ステップＳ３９０７からステップＳ３９１１と同じであるため説明を省略する。
【０３６７】
ステップＳ４６１３で、情報端末２００は、削除の対象である再生コンテンツファイル３３１に排他制御の設定がされているか問い合わせをする。問い合わせには、対象となる再生コンテンツファイル３３１の特定情報が含まれる。
【０３６８】
ステップＳ４６１４で、表示装置３００は、情報端末２００からのステップＳ４６１３における問い合わせに応答する。
【０３６９】
ステップＳ４６１３とステップＳ４６１４の手順は、オプションであり、情報端末２００と表示装置３００はこれらの手順を実施しないでもよい。
【０３７０】
ステップＳ４６１５で、情報端末２００は、再生コンテンツファイル３３１の削除の指示を送信する。削除の指示には、対象となる再生コンテンツファイル３３１の特定情報が含まれる。
【０３７１】
ステップＳ４６１６で、表示装置３００は、再生コンテンツファイル３３１の削除の指示を受信すると、該削除の指示を送信した情報端末２００と、再生コンテンツファイル３３１を送信した情報端末２００とが同じかを確認する。同じ場合には、表示装置３００は、再生コンテンツファイル３３１を削除する。
【０３７２】
上述したように、第七の実施形態によれば、再生コンテンツファイル３３１を削除する場合に排他制御を適用することができる。排他制御を適用した場合、再生コンテンツファイル３３１を送信した情報端末２００のみから、再生コンテンツファイル３３１を削除可能となる。
【０３７３】
このため、再生コンテンツファイル３３１が、誤って削除されるのを防ぐことができる。排他制御は、特定情報に情報端末２００を特定する情報が含まれない場合に、特に適用されるのが好ましい。
【０３７４】
＜その他＞
上述した実施の形態の機能を実現するソフトウェアのプログラムコードを記録した記憶媒体を、情報端末２００と表示装置３００とに供給してもよい。そして、その情報端末２００と表示装置３００と（またはＣＰＵまたはＭＰＵ）が記憶媒体に格納されたプログラムコードを読み出し実行することによっても、上述の実施形態が、達成されることは言うまでもない。この場合、記憶媒体から読み出されたプログラムコード自体が前述した実施形態の機能を実現することになり、そのプログラムコードを記憶した記憶媒体は、いずれかの実施の形態を構成することになる。ここで、記憶媒体は、記録媒体または非一時的な記憶媒体でもよい。
【０３７５】
また、コンピュータ装置が読み出したプログラムコードを実行することにより、前述した実施形態の機能が実現されるだけではない。そのプログラムコードの指示に従って、コンピュータ装置上で起動しているオペレーティングシステム（ＯＳ）等が実際の処理の一部または全部を行ってもよい。さらに、その処理によって前述した実施形態の機能が実現されてもよいことは言うまでもない。
【０３７６】
以上、本発明の好ましい実施形態について説明したが、本発明はこうした実施形態に限定されるものではなく、本発明の要旨を逸脱しない範囲内において種々の変形及び置換を加えることができる。
【符号の説明】
【０３７７】
１００  表示システム
２００  情報端末  
２１０  送信制御プログラム
２２０、３３０  記憶領域
２１３  再生制御情報生成部
２１４  特定情報生成部
２１５  送信判断部
２１６  コンテンツファイル生成部
２１８  機器情報取得部
２１９  変更有無判定部
２３０  ファイル削除判断部
２５０  排他制御設定部
３００  表示装置
３１０  保存制御プログラム
３１１  有無判断部
３１２  保存制御部
【先行技術文献】
【特許文献】
【０３７８】
【特許文献１】特開２０１０−２７７３７４号公報
【図１】
0006500546.tif 000002
【図２】
0006500546.tif 000003
【図３】
0006500546.tif 000004
【図４】
0006500546.tif 000005
【図５】
0006500546.tif 000006
【図６】
0006500546.tif 000007
【図７】
0006500546.tif 000008
【図８】
0006500546.tif 000009
【図９】
0006500546.tif 000010
【図１０】
0006500546.tif 000011
【図１１】
0006500546.tif 000012
【図１２】
0006500546.tif 000013
【図１３】
0006500546.tif 000014
【図１４】
0006500546.tif 000015
【図１５】
0006500546.tif 000016
【図１６】
0006500546.tif 000017
【図１７】
0006500546.tif 000018
【図１８】
0006500546.tif 000019
【図１９】
0006500546.tif 000020
【図２０】
0006500546.tif 000021
【図２１】
0006500546.tif 000022
【図２２】
0006500546.tif 000023
【図２３】
0006500546.tif 000024
【図２４】
0006500546.tif 000025
【図２５】
0006500546.tif 000026
【図２６】
0006500546.tif 000027
【図２７】
0006500546.tif 000028
【図２８】
0006500546.tif 000029
【図２９】
0006500546.tif 000030
【図３０】
0006500546.tif 000031
【図３１】
0006500546.tif 000032
【図３２】
0006500546.tif 000033
【図３３】
0006500546.tif 000034
【図３４】
0006500546.tif 000035
【図３５】
0006500546.tif 000036
【図３６】
0006500546.tif 000037
【図３７】
0006500546.tif 000038
【図３８】
0006500546.tif 000039
【図３９】
0006500546.tif 000040
【図４０】
0006500546.tif 000041
【図４１】
0006500546.tif 000042
【図４２】
0006500546.tif 000043
【図４３】
0006500546.tif 000044
【図４４】
0006500546.tif 000045
【図４５】
0006500546.tif 000046
【図４６】
0006500546.tif 000047